(57)【要約】  フィードバック情報の伝送装置及び方法が提供される。ユーザ装置がサイドリンクフィードバック情報を受信又は生成し、そして、ネットワーク装置に該サイドリンクフィードバック情報を送信することで、サイドリンク伝送のフィードバックメカニズムを提供し、サイドリンクのデータ伝送の信頼性を向上させることができる。
2021536181.tif 000002
【特許請求の範囲】
【請求項１】
第一ユーザ装置側又は第二ユーザ装置側に設置されるフィードバック情報の伝送装置であって、
第一ユーザ装置がサイドリンクフィードバック情報を受信するために用いられる第一受信ユニット、又は、第二ユーザ装置がリンクフィードバック情報を生成するために用いられる生成ユニット；及び
ネットワーク装置に前記サイドリンクフィードバック情報を送信する第一送信ユニットを含み、
前記サイドリンクフィードバック情報は前記第一ユーザ装置から前記第二ユーザ装置へのサイドリンク伝送のフィードバック情報である、装置。
【請求項２】
請求項１に記載の装置であって、
前記装置は第二ユーザ装置側に設置され、前記装置はさらに、
第一ユーザ装置又はネットワーク装置から、フィードバック情報の送信に関連する指示情報を受信する第二受信ユニットを含み、
前記第一送信ユニットは前記フィードバック情報の送信に関連する指示情報に基づいて、ネットワーク装置に、前記第一ユーザ装置から前記第二ユーザ装置へのサイドリンク伝送のフィードバック情報を送信する、装置。
【請求項３】
請求項２に記載の装置であって、
前記フィードバック情報の送信に関連する指示情報は、前記サイドリンク伝送のフィードバック情報を送信する時間及び／又は前記サイドリンク伝送のフィードバック情報を送信するに使用するリソースを含む、装置。
【請求項４】
請求項２に記載の装置であって、
前記第一送信ユニットは前記サイドリンク伝送のフィードバック情報を送信する時間前記フィードバック情報の送信に関連する指示情報に含まれ、あるいは、事前定義又は事前設定され、
前記サイドリンク伝送のフィードバック情報を送信する時間は、
第一ユーザ装置又はネットワーク装置から受信する、前記フィードバック情報の送信に関連する指示情報をキャリーする物理下りリンク制御チャネル（ＰＤＣＣＨ）の最後の１つのシンボル又は前記物理下りリンク制御チャネルの所在するスロットの最後の１つのシンボルの後の第一時間；又は
第一ユーザ装置から受信するサイドリンク伝送のデータをキャリーする物理サイドリンク共有チャネル（ＰＳＳＣＨ）の最後の１つのシンボル又は前記物理サイドリンク共有チャネルの所在するスロットの最後の１つのシンボルの後の第二時間である、装置。
【請求項５】
請求項２に記載の装置であって、
前記フィードバック情報の送信に関連する指示情報は制御シグナリングにより送信される、装置。
【請求項６】
請求項５に記載の装置であって、
前記第二受信ユニットが第一ユーザ装置からフィードバック情報の送信に関連する指示情報を受信する場合、前記制御シグナリングは物理サイドリンク制御チャネル（ＰＳＣＣＨ）によりキャリー（ｃａｒｒｙ）され；及び／又は
前記第二受信ユニットがネットワーク装置からフィードバック情報の送信に関連する指示情報を受信する場合、前記制御シグナリングは物理下りリンク制御チャネル（ＰＤＣＣＨ）によりキャリー（ｃａｒｒｙ）される、装置。
【請求項７】
請求項６に記載の装置であって、
前記物理下りリンク制御チャネルでは、スケジューリングに関連するフィールドが無効と設定され、フィードバックに関連するフィールドが有効と設定される、装置。
【請求項８】
請求項１に記載の装置であって、
前記装置は第一ユーザ装置側に設置され、前記装置はさらに、
ネットワーク装置からフィードバック情報の送信に関連する指示情報を受信する第三受信ユニットを含み、
前記第一受信ユニットは第二ユーザ装置から、前記第一ユーザ装置から前記第二ユーザ装置へのサイドリンク伝送のフィードバック情報を受信し、
前記第一送信ユニットは、前記第三受信ユニットが受信する前記フィードバック情報の送信に関連する指示情報に基づいて、ネットワーク装置に、前記第一ユーザ装置から前記第二ユーザ装置へのサイドリンク伝送のフィードバック情報を送信する、装置。
【請求項９】
請求項８に記載の装置であって、
前記ネットワーク装置からフィードバック情報の送信に関連する指示情報を受信することは、物理下りリンク制御チャネル（ＰＤＣＣＨ）により前記フィードバック情報の送信に関連する指示情報を受信することを含む、装置。
【請求項１０】
請求項８に記載の装置であって、
前記フィードバック情報の送信に関連する指示情報は、前記サイドリンク伝送のフィードバック情報を送信する時間及び／又は前記サイドリンク伝送のフィードバック情報を送信するに使用するリソースを含む、装置。
【請求項１１】
請求項１０に記載の装置であって、
前記サイドリンク伝送のフィードバック情報を送信する時間は、
前記第三受信ユニットがネットワーク装置から受信する、前記フィードバック情報の送信に関連する指示情報をキャリーするＰＤＣＣＨの最後の１つのシンボル又は前記ＰＤＣＣＨの所在するスロットの最後の１つのシンボルの後の第三時間；又は
前記第二ユーザ装置に送信するサイドリンク伝送のデータをキャリーするＰＳＳＣＨの最後の１つのシンボル又は前記ＰＳＳＣＨの所在するスロットの最後の１つのシンボルの後の第四時間である、装置。
【請求項１２】
ユーザ装置側に設置されるフィードバック情報の伝送装置であって、
ネットワーク装置に、前記ユーザ装置からもう１つのユーザ装置へのサイドリンク伝送のフィードバック情報、及び前記ユーザ装置と前記ネットワーク装置との間の下りリンク伝送のフィードバック情報を送信する第四送信ユニットを含む、装置。
【請求項１３】
請求項１２に記載の装置であって、
前記サイドリンク伝送のフィードバック情報及び前記下りリンク伝送のフィードバック情報は同じである又は異なるリソース上で送信される、装置。
【請求項１４】
請求項１３に記載の装置であって、
前記サイドリンク伝送のフィードバック情報はサイドリンク伝送をスケジューリングする第一物理下りリンク制御チャネルにおいて指示される第一リソースにより送信され、
前記下りリンク伝送のフィードバック情報は下りリンク伝送をスケジューリングする第二物理下りリンク制御チャネルにおいて指示される第二リソースにより送信され、
前記第一リソース及び前記第二リソースは同じであり又は異なる、装置。
【請求項１５】
請求項１２に記載の装置であって、
前記第四送信ユニットは、前記ネットワーク装置に、前記サイドリンク伝送のフィードバック情報及び前記下りリンク伝送のフィードバック情報の合併後のフィードバック情報を送信する、装置。
【請求項１６】
請求項１５に記載の装置であって、
前記合併後のフィードバック情報は、
先に前記下りリンク伝送のキャリア及びサイドリンク伝送のキャリアの所定順序に従って、次に各送信タイミングの順序に従って、フィードバック結果に対して並び替え及びカスケード接続を行った後に形成されるフィードバックコードワードであって、前記所定順序は、前記下りリンク伝送のキャリアが前にあり且つ前記サイドリンク伝送のキャリアが後にあり、又は、前記サイドリンク伝送のキャリアが前にあり且つ前記下りリンク伝送のキャリアが後にあるというものである、もの；又は
先に前記下りリンク伝送のキャリアの順序に従って、次に各送信タイミングの順序に従って、フィードバック結果に対して並び替え及びカスケード接続を行った後に形成される第一フィードバックコードワードと、先に前記サイドリンク伝送のキャリアの順序に従って、次に各送信タイミングの順序に従って、フィードバック結果に対して並び替え及びカスケード接続を行った後に形成される第二フィードバックコードワードと対して再びカスケード接続を行った後に形成されるフィードバックコードワードであって、前記第一フィードバックコードワードは前記第二フィードバックコードワードの前にあり、又は、前記第一フィードバックコードワードは前記第二フィードバックコードワードの後にある、ものを含む、装置。
【請求項１７】
第一ユーザ装置側に設置されるフィードバック情報の伝送装置であって、
ネットワーク装置からフィードバック情報の送信に関連する指示情報を受信する第五受信ユニット；
１組に属する少なくとも２つの第二ユーザ装置から、それぞれ、前記第一ユーザ装置から前記少なくとも２つの第二ユーザ装置へのサイドリンク伝送のフィードバック情報を受信する第六受信ユニット；及び
前記フィードバック情報の送信に関連する指示情報及び前記第一ユーザ装置から前記少なくとも２つの第二ユーザ装置へのサイドリンク伝送のフィードバック情報に基づいて、ネットワーク装置にサイドリンク伝送のフィードバック情報を送信する第五送信ユニットを含む、装置。
【請求項１８】
請求項１７に記載の装置であって、
前記第五送信ユニットがネットワーク装置に送信する前記サイドリンク伝送のフィードバック情報は、
前記少なくとも２つの第二ユーザ装置からそれぞれ受信する、前記第一ユーザ装置から前記少なくとも２つの第二ユーザ装置へのサイドリンク伝送の少なくとも２つのフィードバックコードワードのカスケード接続後のフィードバックコードワード；又は
先に前記第一ユーザ装置から前記少なくとも２つの第二ユーザ装置へのサイドリンク伝送のキャリアの所定順序に従って、次に各送信タイミングの順序に従って、フィードバック結果に対してカスケード接続を行った後に形成されるフィードバックコードワードであって、前記所定順序は前記少なくとも２つの第二ユーザ装置の順番号に従って行う並び替え順序である、ものを含む、装置。
【請求項１９】
請求項１７に記載の装置であって、
前記第五送信ユニットは前記第一ユーザ装置から前記少なくとも２つの第二ユーザ装置へのサイドリンク伝送のフィードバック情報に対して総合処理を行い、前記第一ユーザ装置から前記少なくとも２つの第二ユーザ装置へのサイドリンク伝送の全体フィードバック情報を取得し、前記全体フィードバック情報を前記ネットワーク装置に送信する、装置。
【請求項２０】
請求項１９に記載の装置であって、
前記総合処理は論理“ＡＮＤ”演算プロセスである、装置。
【発明の詳細な説明】
【技術分野】
【０００１】
本発明は、通信分野に関し、特に、フィードバック情報の伝送装置及び方法に関する。
【背景技術】
【０００２】
クルマ通信サービスがＶ２Ｘサービスと称される。Ｖ２Ｘサービスは複数の種類、例えば、車対車（Ｖｅｈｉｃｌｅ−ｔｏ−Ｖｅｈｉｃｌｅ、Ｖ２Ｖ）通信サービス、車対インフラ（Ｖｅｈｉｃｌｅ−ｔｏ−Ｉｎｆｒａｓｔｒｕｃｔｕｒｅ、Ｖ２Ｉ）通信サービス、車対歩行者（Ｖｅｈｉｃｌｅ−ｔｏ−Ｐｅｄｅｓｔｒｉａｎ、Ｖ２Ｐ）通信サービスなどを含み得る。
【０００３】
従来のＶ２Ｘ通信では、ユーザ装置（Ｕｓｅｒ  Ｅｑｕｉｐｍｅｎｔ、ＵＥ）としての車と車の間はサイドリンク（ｓｉｄｅｌｉｎｋ）上でＰＣ５インターフェースによりデータの伝送を行い、サイドリンクデータチャネルＰＳＳＣＨについて、対応する物理サイドリンク制御チャネルＰＳＣＣＨによりその具体的に使用するリソースを指示し；車とネットワーク装置（Ｎｅｔｗｏｒｋ  Ｅｑｕｉｐｍｅｎｔ、ＮＥ）との間は上り下りリンク及びＵｕインターフェースによりデータの伝送を行うことができる。Ｒ−１５及びその前のリリースのＬＴＥ技術に基づくＶ２Ｘ通信（ＬＴＥ−Ｖ２Ｘ）では、サイドリンク上のサービスがブロードキャストで送信され、それを受信するＵＥは送信されたデータパケットに対してフィードバックを行う必要がない。サイドリンクでは、データを送信するＵＥがソースＵＥと称され、データを受信するＵＥがターゲットＵＥと称される。
【０００４】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００５】
発明者が次のようなことを発見した。即ち、ＮＲ−Ｖ２Ｘ（新無線クルマ通信）では、サイドリンク上のユニキャスト（ｕｎｉｃａｓｔ）、グループキャスト（ｇｒｏｕｐｃａｓｔ）及びブロードキャスト（ｂｒｏａｄｃａｓｔ）サービスを同時にサポートする必要があり、また、データ送信の信頼性について、ＬＴＥ−Ｖ２Ｘに比較してより高い要求が要される。ユニキャスト及びグループキャストサービスについては、フィードバックをサポートすることでデータ伝送の信頼性を向上させることができる。このときにソースＵＥがネットワーク装置のセルのカバレッジ内にある場合、ネットワーク装置は今回のサイドリンク伝送のフィードバック情報を得る必要があり、フィードバックがＮＡＣＫであると発見した場合、ネットワーク装置はリソースを再びスケジューリングして、ソースＵＥがターゲットＵＥに対して再送信を行うようにさせることができる。よって、ＮＲ−Ｖ２Ｘでは、ソースＵＥがセルのカバレッジ内にあるシナリオについて、それ相応のフィードバックメカニズムを確立する必要がある。
【０００６】
本発明の実施例はフィードバック情報の伝送装置及び方法を提供し、ユーザ装置がサイドリンクフィードバック情報を受信又は生成し、そして、ネットワーク装置に該サイドリンクフィードバック情報を送信することで、サイドリンク伝送のフィードバックメカニズムを提供し、サイドリンクのデータ伝送の信頼性を向上させることができる。
【課題を解決するための手段】
【０００７】
本発明の実施例の第一側面によれば、フィードバック情報の伝送装置が提供され、それは第一ユーザ装置側又は第二ユーザ装置側に設置され、該装置は、
第一ユーザ装置がサイドリンクフィードバック情報を受信するために用いられる第一受信ユニット、又は、第二ユーザ装置がサイドリンクフィードバック情報を生成するために用いられる生成ユニット；及び
ネットワーク装置に該サイドリンクフィードバック情報を送信するための第一送信ユニットであって、該サイドリンクフィードバック情報は該第一ユーザ装置から該第二ユーザ装置へのサイドリンク伝送のフィードバック情報である、第一送信ユニットを含む。
【０００８】
本発明の実施例の第二側面によれば、フィードバック情報の伝送装置が提供され、それは第一ユーザ装置側に設置され、該装置は、
ネットワーク装置から、フィードバック情報の送信に関連する指示情報を受信するための第四受信ユニット；及び
フィードバック情報の送信に関連する該指示情報を第二ユーザ装置に転送するための第二送信ユニットであって、該第一ユーザ装置は該第二ユーザ装置に対してサイドリンク伝送を行う、第二送信ユニットを含む。
【０００９】
本発明の実施例の第三側面によれば、フィードバック情報の伝送装置が提供され、それは第二ユーザ装置側に設置され、該装置は、
第一ユーザ装置に、該第一ユーザ装置から第二ユーザ装置へのサイドリンク伝送のフィードバック情報を送信するための第三送信ユニットを含む。
【００１０】
本発明の実施例の第四側面によれば、フィードバック情報の伝送装置が提供され、それはユーザ装置側に設置され、該装置は、
ネットワーク装置に、該ユーザ装置からもう１つのユーザ装置へのサイドリンク伝送のフィードバック情報、及び、該ユーザ装置と該ネットワーク装置との間の下りリンク伝送のフィードバック情報を送信するための第四送信ユニットを含む。
【００１１】
本発明の実施例の第五側面によれば、フィードバック情報の伝送装置が提供され、それは第一ユーザ装置側に設置され、該装置は、
ネットワーク装置から、フィードバック情報の送信に関連する指示情報を受信するための第五受信ユニット；
１組に属する少なくとも２つの第二ユーザ装置から、それぞれ、該第一ユーザ装置から該少なくとも２つの第二ユーザ装置へのサイドリンク伝送のフィードバック情報を受信するための第六受信ユニット；及び、
フィードバック情報の送信に関連する該指示情報、及び、該第一ユーザ装置から該少なくとも２つの第二ユーザ装置へのサイドリンク伝送のフィードバック情報に基づいて、ネットワーク装置にサイドリンク伝送のフィードバック情報を送信するための第五送信ユニットを含む。
【００１２】
本発明の実施例の第六側面によれば、フィードバック情報の伝送装置が提供され、それはネットワーク装置側に設置され、該装置は、
第一ユーザ装置又は第二ユーザ装置に、フィードバック情報の送信に関連する指示情報を送信するための第六送信ユニット；及び
該第二ユーザ装置又は該第一ユーザ装置から、該第一ユーザ装置から該第二ユーザ装置へのサイドリンク伝送のフィードバック情報を受信するための第七受信ユニットを含む。
【００１３】
本発明の実施例の第七側面によれば、フィードバック情報の伝送装置が提供され、それはネットワーク装置側に設置され、該装置は、
第一ユーザ装置に、フィードバック情報の送信に関連する指示情報を送信するための第八送信ユニット；及び
該第一ユーザ装置から、該第一ユーザ装置から１組に属する少なくとも２つの第二ユーザ装置へのサイドリンク伝送のフィードバック情報を受信するための第八受信ユニットを含む。
【００１４】
本発明の実施例の第八側面によれば、ユーザ装置が提供され、前記ユーザ装置は本発明の実施例の第一側面乃至第五側面に記載の装置を含む。
【００１５】
本発明の実施例の第九側面によれば、ネットワーク装置が提供され、前記ネットワーク装置は本発明の実施例の第六側面又は第七側面に記載の装置を含む。
【００１６】
本発明の実施例の第十側面によれば、通信システムが提供され、前記通信システムは本発明の実施例の第八側面に記載のユーザ装置及び／又は本発明の実施例の第九側面に記載のネットワーク装置を含む。
【００１７】
本発明の実施例の第十一側面によれば、フィードバック情報の伝送方法が提供され、それは第一ユーザ装置側又は第二ユーザ装置側に応用され、該方法は、
第一ユーザ装置がサイドリンクフィードバック情報を受信し、又は、第二ユーザ装置がサイドリンクフィードバック情報を生成し；及び
ネットワーク装置に該サイドリンクフィードバック情報を送信し、該サイドリンクフィードバック情報は該第一ユーザ装置から該第二ユーザ装置へのサイドリンク伝送のフィードバック情報であることを含む。
【００１８】
本発明の実施例の第十二側面によれば、フィードバック情報の伝送方法が提供され、それは第一ユーザ装置側に応用され、該方法は、
ネットワーク装置から、フィードバック情報の送信に関連する指示情報を受信し；及び
フィードバック情報の送信に関連する該指示情報を第二ユーザ装置に転送し、そのうち、該第一ユーザ装置は該第二ユーザ装置に対してサイドリンク伝送を行うことを含む。
【００１９】
本発明の実施例の第十三側面によれば、フィードバック情報の伝送方法が提供され、それは第二ユーザ装置側に応用され、該方法は、
第一ユーザ装置に、該第一ユーザ装置から第二ユーザ装置へのサイドリンク伝送のフィードバック情報を送信することを含む。
【００２０】
本発明の実施例の第十四側面によれば、フィードバック情報の伝送方法が提供され、それはユーザ装置側に応用され、該方法は、
ネットワーク装置に、ユーザ装置からもう１つのユーザ装置へのサイドリンク伝送のフィードバック情報、及び、該ユーザ装置と該ネットワーク装置との間の下りリンク伝送のフィードバック情報を送信することを含む。
【００２１】
本発明の実施例の第十五側面によれば、フィードバック情報の伝送方法が提供され、それは第一ユーザ装置側に応用され、該方法は、
ネットワーク装置から、フィードバック情報の送信に関連する指示情報を受信し；
１組に属する少なくとも２つの第二ユーザ装置から、それぞれ、該第一ユーザ装置から該少なくとも２つの第二ユーザ装置へのサイドリンク伝送のフィードバック情報を受信し；及び
フィードバック情報の送信に関連する該指示情報、及び、該第一ユーザ装置から該少なくとも２つの第二ユーザ装置へのサイドリンク伝送のフィードバック情報に基づいて、ネットワーク装置にサイドリンク伝送のフィードバック情報を送信することを含む。
【００２２】
本発明の実施例の第十六側面によれば、フィードバック情報の伝送方法が提供され、それはネットワーク装置側に応用され、該方法は、
第一ユーザ装置又は第二ユーザ装置に、フィードバック情報の送信に関連する指示情報を送信し；及び
該第二ユーザ装置又は該第一ユーザ装置から、該第一ユーザ装置から該第二ユーザ装置へのサイドリンク伝送のフィードバック情報を受信することを含む。
【００２３】
本発明の実施例の第十七側面によれば、フィードバック情報の伝送方法が提供され、それはネットワーク装置側に応用され、該方法は、
第一ユーザ装置に、フィードバック情報の送信に関連する指示情報を送信し；及び
該第一ユーザ装置から、該第一ユーザ装置から１組に属する少なくとも２つの第二ユーザ装置へのサイドリンク伝送のフィードバック情報を受信することを含む。
【００２４】
本発明の実施例の第十八側面によれば、コンピュータ可読プログラムが提供され、そのうち、フィードバック情報の伝送装置又はユーザ装置中で前記プログラムを実行するときに、前記プログラムは前記フィードバック情報の伝送装置又はユーザ装置に、本発明の実施例の第十一側面乃至十五側面のうちの任意の一側面に記載のフィードバック情報の伝送方法を実行させる。
【００２５】
本発明の実施例の第十九側面によれば、コンピュータ可読プログラムを記憶した記憶媒体が提供され、そのうち、前記コンピュータ可読プログラムはフィードバック情報の伝送装置又はユーザ装置に、本発明の実施例の第十一側面乃至十五側面のうちの任意の一側面に記載のフィードバック情報の伝送方法を実行させる。
【００２６】
本発明の実施例の第二十側面によれば、コンピュータ可読プログラムが提供され、そのうち、フィードバック情報の伝送装置又はネットワーク装置中で前記プログラムを実行するときに、前記プログラムは前記フィードバック情報の伝送装置又はユーザ装置に、本発明の実施例の第十六側面又は第十七側面に記載のフィードバック情報の伝送方法を実行させる。
【００２７】
本発明の実施例の第二十一側面によれば、コンピュータ可読プログラムを記憶した記憶媒体が提供され、そのうち、前記コンピュータ可読プログラムはフィードバック情報の伝送装置又はネットワーク装置に、本発明の実施例の第十六側面又は第十七側面に記載のフィードバック情報の伝送方法を実行させる。
【００２８】
本発明の有利な効果は次の通りであり、即ち、ユーザ装置がサイドリンクフィードバック情報を受信又は生成し、そして、ネットワーク装置に該サイドリンクフィードバック情報を送信することで、サイドリンク伝送のフィードバックメカニズムを提供し、サイドリンクのデータ伝送の信頼性を向上させることができる。
【００２９】
後述の説明及び図面を参照することで、本発明の特定の実施形態を詳しく開示し、本発明の原理を採用し得る態様を示す。なお、本発明の実施形態は、範囲上ではこれらにより限定されない。添付した特許請求の範囲内であれば、本発明の実施形態は、様々な変更、修正及び代替によるものを含んでも良い。
【００３０】
また、１つの実施方式について説明した及び／又は示した特徴は、同じ又は類似した方式で１つ又は複数の他の実施形態に用い、他の実施形態における特徴と組み合わせ、又は、他の実施形態における特徴を置換することもできる。
【００３１】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００３２】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】本発明の実施例における通信システムを示す図である。
【図２】本発明の実施例１におけるフィードバック情報の伝送方法を示す図である。
【図３】本発明の実施例１におけるフィードバック情報の伝送方法を示すもう１つの図である。
【図４】本発明の実施例１におけるフィードバック情報の伝送方法を示すもう１つの図である。
【図５】本発明の実施例１におけるフィードバック情報の伝送方法を示すもう１つの図である。
【図６】本発明の実施例１におけるフィードバック情報の伝送方法を示すもう１つの図である。
【図７】本発明の実施例２におけるフィードバック情報の伝送方法を示す図である。
【図８】本発明の実施例２における下りリンク伝送のキャリア及びサイドリンク伝送の各キャリアに対応する各送信タイミングのフィードバック結果を示す図である。
【図９】本発明の実施例３におけるフィードバック情報の伝送方法を示す図である。
【図１０】本発明の実施例３における第一ユーザ装置から少なくとも２つの第二ユーザ装置へのサイドリンク伝送の各キャリアに対応する各送信タイミングのフィードバック結果を示す図である。
【図１１】本発明の実施例３におけるステップ９０３の実現方法を示す図である。
【図１２】本発明の実施例４におけるフィードバック情報の伝送方法を示す図である。
【図１３】本発明の実施例４におけるフィードバック情報の伝送方法を示すもう１つの図である。
【図１４】本発明の実施例５におけるフィードバック情報の伝送方法を示す図である。
【図１５】本発明の実施例６における適用シナリオを示す図である。
【図１６】本発明の実施例６におけるフィードバック情報の伝送方法を示す図である。
【図１７】本発明の実施例７における適用シナリオを示す図である。
【図１８】本発明の実施例７におけるフィードバック情報の伝送方法を示す図である。
【図１９】本発明の実施例８における適用シナリオを示す図である。
【図２０】本発明の実施例８におけるフィードバック情報の伝送方法を示す図である。
【図２１】本発明の実施例９におけるフィードバック情報の伝送方法を示す図である。
【図２２】本発明の実施例１０における適用シナリオを示す図である。
【図２３】本発明の実施例１０におけるフィードバック情報の伝送方法を示す図である。
【図２４】本発明の実施例１１におけるフィードバック情報の伝送装置を示す図である。
【図２５】本発明の実施例１１におけるフィードバック情報の伝送装置を示すもう１つの図である。
【図２６】本発明の実施例１１におけるフィードバック情報の伝送装置を示すもう１つの図である。
【図２７】本発明の実施例１１におけるフィードバック情報の伝送装置を示すもう１つの図である。
【図２８】本発明の実施例１２におけるフィードバック情報の伝送装置を示す図である。
【図２９】本発明の実施例１３におけるフィードバック情報の伝送装置を示す図である。
【図３０】本発明の実施例１４におけるフィードバック情報の伝送装置を示す図である。
【図３１】本発明の実施例１５におけるフィードバック情報の伝送装置を示す図である。
【図３２】本発明の実施例１６におけるユーザ装置のシステム構成を示すブロック図である。
【図３３】本発明の実施例１７におけるネットワーク装置の構成図である。
【発明を実施するための形態】
【００３３】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内の全ての変更、変形及び代替によるものも含むということである。
【００３４】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００３５】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００３６】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００３７】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００３８】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００３９】
そのうち、ユーザ装置は、次のようなものを含んでも良いが、それに限定されず、例えば、キャリー電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、キャリー装置、マシンタイプ通信装置、ラップトップコンピュータ、コードレス電話機、スマートフォン、スマートウォッチ、デジタルカメラなどである。
【００４０】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００４１】
以下、例を挙げて本発明の実施例のシナリオについて説明を行うが、本発明は、これに限られない。
【００４２】
図１は、本発明の実施例における通信システムを示す図であり、端末装置及びネットワーク装置を例とする場合を示す。図１に示すように、通信システム１００は、ネットワーク装置１０１及び複数の端末装置１０２、１０３を含んでも良い。端末装置１０２、１０３は例えば車両である。
【００４３】
本発明の実施例では、ネットワーク装置１０１と端末装置１０２、１０３との間は従来のトラフィック又は将来実施可能なトラフィックが行われても良い。これらのトラフィックは、例えば、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これに限定されない。
【００４４】
ユーザ装置１０２と１０３との間はサイドリンク（ｓｉｄｅｌｉｎｋ）上のサービスを行うことができる。例えば、ユーザ装置１０２はソースＵＥであり、ユーザ装置１０３はターゲットＵＥである。
【実施例１】
【００４５】
本発明の実施例ではフィードバック情報の伝送方法が提供され、それは第一ユーザ装置側又は第二ユーザ装置側に応用される。図２は本発明の実施例１におけるフィードバック情報の伝送方法を示す図である。図２に示すように、該方法は以下のステップを含む。
【００４６】
ステップ２０１：第一ユーザ装置がサイドリンクフィードバック情報を受信し、又は、第二ユーザ装置がサイドリンクフィードバック情報を生成し；及び
ステップ２０２：ネットワーク装置に該サイドリンクフィードバック情報を送信する。
【００４７】
該サイドリンクフィードバック情報は該第一ユーザ装置から該第二ユーザ装置へのサイドリンク伝送のフィードバック情報である。
【００４８】
このようにして、ユーザ装置がサイドリンクフィードバック情報を受信又は生成し、そして、ネットワーク装置に該サイドリンクフィードバック情報を送信することで、サイドリンク伝送のフィードバックメカニズムを提供し、サイドリンクのデータ伝送の信頼性を向上させることができる。
【００４９】
本実施例では、第一ユーザ装置と第二ユーザ装置との間はサイドリンク伝送を行うことができ、第一ユーザ装置はソースＵＥであり、第二ユーザ装置はターゲットＵＥである。そうすると、該サイドリンク伝送は第一ユーザ装置から第二ユーザ装置へのサイドリンク伝送である。
【００５０】
以下、該方法が第二ユーザ装置側及び第一ユーザ装置側に応用される場合についてそれぞれ説明する。
【００５１】
まず、該方法が第二ユーザ装置側（ターゲットＵＥ側）に応用されるケースについて説明する。
【００５２】
例えば、該方法は、第二ユーザ装置が第一ユーザ装置と同じセルのカバレッジ内にあるシナリオに適用することができる。
【００５３】
図３は本発明の実施例１におけるフィードバック情報の伝送方法を示すもう１つの図である。該方法は第二ユーザ装置側に応用される。図３に示すように、該方法は以下のステップを含む。
【００５４】
ステップ３０１：第一ユーザ装置又はネットワーク装置から、フィードバック情報の送信に関連する指示情報を受信し；
ステップ３０２：該第一ユーザ装置から該第二ユーザ装置へのサイドリンク伝送のフィードバック情報を生成し；
ステップ３０３：フィードバック情報の送信に関連する該指示情報に基づいて、ネットワーク装置に、該第一ユーザ装置から該第二ユーザ装置へのサイドリンク伝送のフィードバック情報を送信する。
【００５５】
本実施例では、フィードバック情報の送信に関連する該指示情報は制御シグナリングにより送信することができる。
【００５６】
本実施例では、第一ユーザ装置から、フィードバック情報の送信に関連する指示情報を受信する場合、該制御シグナリングは、物理サイドリンク制御チャネル（Ｐｈｙｓｉｃａｌ  Ｓｉｄｅｌｉｎｋ  Ｓｈａｒｅｄ  Ｃｈａｎｎｅｌ、ＰＳＳＣＨ）によりキャリー（ｃａｒｒｙ）される。
【００５７】
例えば、該制御シグナリングはサイドリンク制御情報（Ｓｉｄｅｌｉｎｋ  Ｃｏｎｔｒｏｌ  Ｉｎｆｏｒｍａｔｉｏｎ、ＳＣＩ）に含まれる。
【００５８】
本実施例では、ネットワーク装置から、フィードバック情報の送信に関連する指示情報を受信する場合、該制御シグナリングは、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）によりキャリー（ｃａｒｒｙ）される。
【００５９】
例えば、該制御シグナリングは下りリンク制御情報（Ｄｏｗｎｌｉｎｋ  Ｃｏｎｔｒｏｌ  Ｉｎｆｏｒｍａｔｉｏｎ、ＤＣＩ）に含まれる。
【００６０】
第二ユーザ装置が第一ユーザ装置から、フィードバック情報の送信に関連する指示情報を受信するケースについて、図４は本発明の実施例１におけるフィードバック情報の伝送方法を示すもう１つの図であり、それは第一ユーザ装置側に応用される。図４に示すように、該方法は以下のステップを含む。
【００６１】
ステップ４０１：ネットワーク装置から、フィードバック情報の送信に関連する指示情報を受信し；
ステップ４０２：フィードバック情報の送信に関連する該指示情報を第二ユーザ装置に転送する。
【００６２】
そのうち、該第一ユーザ装置は該第二ユーザ装置に対してサイドリンク伝送を行う。
【００６３】
ステップ４０１では、物理下りリンク制御チャネル（ＰＤＣＣＨ）により、フィードバック情報の送信に関連する該指示情報を受信することができる。
【００６４】
ステップ４０２では、物理サイドリンク制御チャネル（ＰＳＣＣＨ）により、該第二ユーザ装置に、フィードバック情報の送信に関連する該指示情報を送信することができる。
【００６５】
ステップ３０１では、第二ユーザ装置がネットワーク装置から、フィードバック情報の送信に関連する指示情報を受信する場合、該制御シグナリングは、ＰＤＣＣＨによりキャリー（ｃａｒｒｙ）され、該ＰＤＣＣＨでは、スケジューリングに関連するフィールドが無効と設定され、フィードバックに関連するフィールドが有効と設定される。例えば、ＤＣＩにおいてスケジューリングに関連するフィールドがすべて“０”又はすべて“１”又は事前約束の１つの値に設定されることで、現在のフィールドが無効であることを指示することができる。そのうち、スケジューリングに関連するフィールドは時間領域スケジューリングフィールド、周波数領域スケジューリングフィールド、変調シンボル化指示フィールド、ＭＣＳ指示フィールドを含んでも良いが、これに限定されない。無効を指示するフィールドは、キャリア指示（ｃａｒｒｉｅｒ  ｉｎｄｉｃａｔｏｒ）フィールドを含んでも良い。
【００６６】
この場合、ネットワーク装置はさらにサイドリンクのソースＵＥとしての第一ユーザ装置にサイドリンクをスケジューリングするためのＰＤＣＣＨを送信し、該ＰＤＣＣＨでは、スケジューリングに関連するフィールドが有効と設定され、フィードバックに関連するフィールドが無効と設定される。例えば、ＤＣＩにおいてフィードバックに関連するフィールドがすべて“０”又はすべて“１”又は事前約束の１つの値に設定されることで、現在のフィールドが無効であることを指示し、ＵＥは無視することができる。そのうち、フィードバックに関連するフィールドは、ターゲットＵＥがフィードバックを行う時間及びフィードバックを行うに使用する上りリンクＰＵＣＣＨリソースなどを含んでも良い。
【００６７】
例えば、以下の２種類の具体的な方法により実現され得る。
【００６８】
＜方法一＞
ｉ．ネットワーク装置がソースＵＥ（第一ユーザ装置）に送信するＤＣＩがソースＵＥのＲＮＴＩによりスクランブルされ、且つＤＣＩにはターゲットＵＥ（第二ユーザ装置）のＩＤが含まれ；ターゲットＵＥに送信するＤＣＩがターゲットＵＥのＲＮＴＩによりスクランブルされ、且つＤＣＩにはソースＵＥのＩＤが含まれ；又は、ソース及びターゲットＵＥに送信するＤＣＩがすべて１つのｐａｉｒ／ｌｉｎｋ  ＲＮＴＩによりスクランブルされ、この場合、双方のＤＣＩにはＩＤを含める必要がない。
【００６９】
ｉｉ．ステップｉをもとに、ＤＣＩに１ｂｉｔを含めて、現在にＤＣＩを受信するＵＥがソースＵＥであるか、それともターゲットＵＥであるかを指示し、ＤＣＩにＩＤが含まれる方法について、この１ｂｉｔは、ＩＤ  ｆｉｅｌｄがソースＵＥに対応するか、それともターゲットＵＥに対応するかも指示する。具体的には、ソースＵＥである場合、ＩＤ  ｆｉｅｌｄはターゲットＵＥに対応し；逆の場合、ＩＤ  ｆｉｅｌｄはソースＵＥに対応し；ｐａｉｒ／ｌｉｎｋ  ＲＮＴＩによりスクランブルされる方法について、ＤＣＩには何れのＵＥ  ＩＤを含める必要がない。この場合、２つのＵＥは各自のＤＣＩをデコーディングすることで、両者のうち、どれがソースＵＥであるか、どれがターゲットＵＥであるかを知ることができる。ソースＵＥについて、このＤＣＩは、データをスケジューリングするために用いられ、フィードバックに関連するフィールドは無効であり；ターゲットＵＥについて、このＤＣＩは、フィードバック情報を指示するために用いられ、スケジューリングに関連するフィールドは無効である。
【００７０】
＜方法二＞
１つのｐａｉｒ又はｌｉｎｋ  ＩＤを用いてスクランブルし、ソースＵＥ及びターゲットＵＥに同一のＰＤＣＣＨを送信し、そのうち、ＤＣＩにはそれぞれソース及びターゲットＵＥのＩＤが含まれ、また、区別指示ビットが含まれ、さらに、スケジューリングのフィールド及びＨＡＲＱフィードバックに関連するフィールドが含まれる必要がある。このようにして、１つのＰＤＣＣＨシグナリングリソースを節約することができる。
【００７１】
上述の方法一及び方法二では、サイドリンク制御チャネルＰＳＣＣＨ中のＳＣＩ指示情報には、ターゲットＵＥがフィードバックを行うことの指示に関連するフィールドが含まれる必要がない。
【００７２】
本実施例では、フィードバック情報の送信に関連する該指示情報は、該サイドリンク伝送のフィードバック情報を送信する時間及び／又は該サイドリンク伝送のフィードバック情報を送信するに使用するリソースを含み、これにより、第二ユーザ装置は該時間及び／又は該リソース上で該フィードバック情報を送信することができる。
【００７３】
本実施例では、該サイドリンク伝送のフィードバック情報を送信する時間はフィードバック情報の送信に関連する該指示情報に含まれなくても良く、例えば、該時間は事前定義又は事前設定されても良い。
【００７４】
本実施例では、例えば、該サイドリンク伝送のフィードバック情報を送信する時間は、第一ユーザ装置又はネットワーク装置から受信する、フィードバック情報の送信に関連する該指示情報をキャリーするＰＤＣＣＨの最後の１つのシンボル又は該物理下りリンク制御チャネルの所在するスロットの最後の１つのシンボルの後の第一時間、又は、第一ユーザ装置から受信する、サイドリンク伝送のデータをキャリーするＰＳＳＣＨの最後の１つのシンボル又は該物理サイドリンク共有チャネルの所在するスロットの最後の１つのシンボルの後の第二時間である。
【００７５】
以上、該方法が第二ユーザ装置側（ターゲットＵＥ側）に応用される場合について説明した。続いて、該方法が第一ユーザ装置側（ソースＵＥ側）に応用される場合について説明する。
【００７６】
例えば、下述の図５及び図６に示す方法は、第二ユーザ装置が第一ユーザ装置の所在するセルのカバレッジ内に位置しないシナリオに応用されても良く、第二ユーザ装置が第一ユーザ装置の所在するセルのカバレッジ内に位置するシナリオに応用されても良い。
【００７７】
図５は、本発明の実施例１におけるフィードバック情報の伝送方法を示す他の図であり、該方法は第一ユーザ装置側に応用される。図５に示すように、該方法は以下のステップを含む。
【００７８】
ステップ５０１：ネットワーク装置から、フィードバック情報の送信に関連する指示情報を受信し；
ステップ５０２：第二ユーザ装置から、該第一ユーザ装置から該第二ユーザ装置へのサイドリンク伝送のフィードバック情報を受信し；及び
ステップ５０３：フィードバック情報の送信に関連する該指示情報に基づいて、ネットワーク装置に、該第一ユーザ装置から該第二ユーザ装置へのサイドリンク伝送のフィードバック情報を送信する。
【００７９】
ステップ５０１では、物理下りリンク制御チャネル（ＰＤＣＣＨ）により、フィードバック情報の送信に関連する該指示情報を受信することができる。
【００８０】
本実施例では、フィードバック情報の送信に関連する該指示情報は、該サイドリンク伝送のフィードバック情報を送信する時間及び／又は該サイドリンク伝送のフィードバック情報を送信するに使用するリソースを含む。
【００８１】
本実施例では、例えば、該サイドリンク伝送のフィードバック情報を送信する時間は、ネットワーク装置から受信する、フィードバック情報の送信に関連する該指示情報をキャリーするＰＤＣＣＨの最後の１つのシンボル又は該ＰＤＣＣＨの所在するスロットの最後の１つのシンボルの後の第三時間、又は、該第二ユーザ装置に送信する、サイドリンク伝送のデータをキャリーするＰＳＳＣＨの最後の１つのシンボル又は該ＰＳＳＣＨの所在するスロットの最後の１つのシンボルの後の第四時間である。
【００８２】
図６は本発明の実施例１におけるフィードバック情報の伝送方法を示す他の図であり、それは第二ユーザ装置側に応用される。図６に示すように、該方法は以下のステップを含む。
【００８３】
ステップ６０１：第一ユーザ装置に、該第一ユーザ装置から第二ユーザ装置へのサイドリンク伝送のフィードバック情報を送信する。
【００８４】
本実施例では、第二ユーザ装置は、適切なリソースを見つけたときに第一ユーザ装置に該フィードバック情報を送信することができ、本発明の実施例は該送信のタイミングについて限定しない。
【００８５】
上述の実施例から分かるように、ユーザ装置がサイドリンクフィードバック情報を受信又は生成し、そして、ネットワーク装置に該サイドリンクフィードバック情報を送信することで、サイドリンク伝送のフィードバックメカニズムを提供し、サイドリンクのデータ伝送の信頼性を向上させることができる。
【実施例２】
【００８６】
本発明の実施例ではフィードバック情報の伝送方法が提供され、該方法はユーザ装置側に応用される。図７は本発明の実施例２におけるフィードバック情報の伝送方法を示す図である。図７に示すように、該方法は以下のステップを含む。
【００８７】
ステップ７０１：ネットワーク装置に、該ユーザ装置からもう１つのユーザ装置へのサイドリンク伝送のフィードバック情報、及び、該ユーザ装置と該ネットワーク装置との間の下りリンク伝送のフィードバック情報を送信する。
【００８８】
本実施例では、該ユーザ装置と該もう１つのユーザ装置との間はサイドリンク伝送を行うことができ、該ユーザ装置はソースＵＥであり、該もう１つのユーザ装置はターゲットＵＥである。そうすると、該サイドリンク伝送は、該ユーザ装置から該もう１つのユーザ装置へのサイドリンク伝送である。
【００８９】
本実施例では、該サイドリンク伝送のフィードバック情報及び該下りリンク伝送のフィードバック情報は同じである又は異なるリソース上で送信されることができる。
【００９０】
例えば、該サイドリンク伝送のフィードバック情報は、サイドリンク伝送をスケジューリングする第一物理下りリンク制御チャネルにおいて指示される第一リソースにより送信されても良く、該下りリンク伝送のフィードバック情報は、下りリンク伝送をスケジューリングする第二物理下りリンク制御チャネルにおいて指示される第二リソースにより送信されても良く、該第一リソース及び該第二リソースは同じであっても良く異なっても良い。
【００９１】
例えば、該フィードバック情報の送信に使用するＰＵＣＣＨリソースは、ＤＬをスケジューリングするＰＤＣＣＨにキャリーされるＤＣＩにおいて指示されるリソースであっても良く、サイドリンク伝送をスケジューリングするＰＤＣＣＨにキャリーされるＤＣＩにおいて指示されるリソースであっても良く、又は、両者により指示されるＰＵＣＣＨリソースが同じであるかによっても良く、同じである場合、同じＰＵＣＣＨリソースの中でＤＬ及びサイドリンク伝送に対してフィードバックを行い；異なる場合、それぞれ、各自によりスケジューリングされるＤＣＩにおいて指示されるＰＵＣＣＨリソースの中でフィードバックを行う。また、同時に、サイドリンク伝送をスケジューリングするＤＣＩにＤＡＩフィールドを、フィードバックを行うために追加する必要がある。
【００９２】
まず、該サイドリンク伝送のフィードバック情報及び該下りリンク伝送のフィードバック情報が同じリソース上で送信されることについて説明する。
【００９３】
本実施例では、ステップ７０１において、該ネットワーク装置に、該サイドリンク伝送のフィードバック情報と該下りリンク伝送のフィードバック情報との合併後のフィードバック情報を送信しても良い。
【００９４】
例えば、該合併後のフィードバック情報は、
先に該下りリンク伝送のキャリアとサイドリンク伝送のキャリアの所定順序に従って、次に各送信タイミングの順序に従って、フィードバック結果に対して並び替え及びカスケード接続を行った後に形成されるフィードバックコードワードを含み、該所定順序は、該下りリンク伝送のキャリアが前にあり且つ該サイドリンク伝送のキャリアが後にあり、又は、該サイドリンク伝送のキャリアが前にあり且つ該下りリンク伝送のキャリアが後にあるというものであるというものであり；又は
先に該下りリンク伝送のキャリアの順序に従って、次に各送信タイミングの順序に従って、フィードバック結果に対して並び替え及びカスケード接続を行った後に形成される第一フィードバックコードワード、及び、先に該サイドリンク伝送のキャリアの順序に従って、次に各送信タイミングの順序に従って、フィードバック結果に対して並び替え及びカスケード接続を行った後に形成される第二フィードバックコードワードに対して再びカスケード接続を行った後に形成されるフィードバックコードワードを含み、そのうち、該第一フィードバックコードワードは該第二フィードバックコードワードの前にあり、又は、該第一フィードバックコードワードは該第二フィードバックコードワードの後にある。
【００９５】
図８は本発明の実施例２における下りリンク伝送のキャリア及びサイドリンク伝送の各キャリアに対応する各送信タイミングのフィードバック結果を示す図である。図８に示すように、下りリンク伝送にキャリア０及びキャリア１が設定され、サイドリンク伝送にキャリア０及びキャリア１が設定され、これらのキャリアに対応する送信タイミング０、送信タイミング１及び送信タイミング２の一部の送信タイミングにフィードバック結果があり、“００”、“０１”、“１０”又は“１１”と表され得る。２つのＴＢの伝送をサポートするとすれば、００は、対応するタイミングにおいて対応するキャリア上で２つのＴＢがすべて正確にデコーディングされていないことを表し；０１は、ＴＢ０が正確にデコーディングされておらず、ＴＢ１が正確にデコーディングされていることを表し、その他は、これに基づいて類推する。
【００９６】
例えば、サイドリンク伝送のフィードバック情報と下りリンク伝送のフィードバック情報を合併するときに、先に該下りリンク伝送のキャリアが前にあり且つ該サイドリンク伝送のキャリアが後にあるという順序に従って、次に各送信タイミングの順序に従って、フィードバック結果に対して並び替え及びカスケード接続を行った後に形成されるフィードバックコードワードを合併後のフィードバック情報とすることができる。例えば、図８に示すフィードバック結果について、該方式で並び替え及びカスケード接続を行った後に形成されるフィードバックコードワードは“１１１０１１０１１１１１１０”である。
【００９７】
また、例えば、サイドリンク伝送のフィードバック情報と下りリンク伝送のフィードバック情報を合併するときに、先に該サイドリンク伝送のキャリアが前にあり且つ該下りリンク伝送のキャリアが後にあるという順序に従って、次に各送信タイミングの順序に従って、フィードバック結果に対して並び替え及びカスケード接続を行った後に形成されるフィードバックコードワードを合併後のフィードバック情報とすることができる。例えば、図８に示すフィードバック結果について、該方式で並び替え及びカスケード接続を行った後に形成されるフィードバックコードワードは“１０１１１１１１０１１０１１”である。
【００９８】
また、例えば、サイドリンク伝送のフィードバック情報と下りリンク伝送のフィードバック情報を合併するときに、先に該下りリンク伝送のキャリアの順序に従って、次に各送信タイミングの順序に従って、フィードバック結果に対して並び替え及びカスケード接続を行った後に形成される第一フィードバックコードワード、及び、先に該サイドリンク伝送のキャリアの順序に従って、次に各送信タイミングの順序に従って、フィードバック結果に対して並び替え及びカスケード接続を行った後に形成される第二フィードバックコードワードに対して再びカスケード接続を行った後に形成されるフィードバックコードワードを合併後のフィードバック情報とすることができ、そのうち、該第一フィードバックコードワードは該第二フィードバックコードワードの前にある。例えば、図８に示すフィードバック結果について、該方式に従って並び替え及びカスケード接続を行った後に形成されるフィードバックコードワードは“１１０１１１１０１１１１１０”である。
【００９９】
また、又例えば、サイドリンク伝送のフィードバック情報と下りリンク伝送のフィードバック情報を合併するときに、先に該下りリンク伝送のキャリアの順序に従って、次に各送信タイミングの順序に従って、フィードバック結果に対して並び替え及びカスケード接続を行った後に形成される第一フィードバックコードワード、及び、先に該サイドリンク伝送のキャリアの順序に従って、次に各送信タイミングの順序に従って、フィードバック結果に対して並び替え及びカスケード接続を行った後に形成される第二フィードバックコードワードに対して再びカスケード接続を行った後に形成されるフィードバックコードワードを合併後のフィードバック情報とすることができ、そのうち、該第一フィードバックコードワードは該第二フィードバックコードワードの後にある。例えば、図８に示すフィードバック結果について、該方式で並び替え及びカスケード接続を行った後に形成されるフィードバックコードワードは“１０１１１１１０１１０１１１”である。
【０１００】
本実施例では、該サイドリンク伝送のフィードバック情報及び該下りリンク伝送のフィードバック情報は異なるリソース上で送信することもできる。
【０１０１】
例えば、該サイドリンク伝送のフィードバック情報及び該下りリンク伝送のフィードバック情報は異なるＰＵＣＣＨリソースで送信することができる。
【０１０２】
即ち、指示される、該サイドリンク伝送のフィードバック情報及び該下りリンク伝送のフィードバック情報を送信するＰＵＣＣＨリソースが異なる場合に適用される。例えば、下りリンク伝送のフィードバック情報は、下りリンク伝送をスケジューリングするＰＤＣＣＨにおいて指示をキャリーするリソースで送信され、サイドリンク伝送のフィードバック情報は、サイドリンク伝送をスケジューリングするＰＤＣＣＨにおいて指示をキャリーするリソースで送信される。
【０１０３】
上述の実施例から分かるように、ユーザ装置がネットワーク装置にサイドリンクフィードバック情報を送信することで、サイドリンク伝送のフィードバックメカニズムを提供し、サイドリンクのデータ伝送の信頼性を向上させることができる。また、サイドリンク伝送のフィードバック情報及び下りリンク伝送のフィードバック情報が同時に存在する場合におけるフィードバックメカニズムも提供している。
【実施例３】
【０１０４】
本発明の実施例ではさらにフィードバック情報の伝送方法が提供され、該方法は第一ユーザ装置（ソースＵＥ）側に応用される。
【０１０５】
図９は、本発明の実施例３におけるフィードバック情報の伝送方法を示す図である。図９に示すように、該方法は以下のステップを含む。
【０１０６】
ステップ９０１：ネットワーク装置から、フィードバック情報の送信に関連する指示情報を受信し；
ステップ９０２：１組に属する少なくとも２つの第二ユーザ装置から、それぞれ、該第一ユーザ装置から該少なくとも２つの第二ユーザ装置へのサイドリンク伝送のフィードバック情報を受信し；
ステップ９０３：フィードバック情報の送信に関連する該指示情報、及び、該第一ユーザ装置から該少なくとも２つの第二ユーザ装置へのサイドリンク伝送のフィードバック情報に基づいて、ネットワーク装置にサイドリンク伝送のフィードバック情報を送信する。
【０１０７】
本実施例では、第一ユーザ装置（ソースＵＥ）及び少なくとも２つの第二ユーザ装置（ターゲットＵＥ）が１つの組を構成し、第一ユーザ装置（ソースＵＥ）は、１つの組を構成する少なくとも２つのユーザ装置（ターゲットＵＥ）に対してグループキャストの方式でサイドリンク伝送を行う。
【０１０８】
ステップ９０１では、物理下りリンク制御チャネル（ＰＤＣＣＨ）によりフィードバック情報の送信に関連する該指示情報を受信することができる。
【０１０９】
本実施例では、フィードバック情報の送信に関連する該指示情報は、該サイドリンク伝送のフィードバック情報を送信する時間及び／又は該サイドリンク伝送のフィードバック情報の送信に使用するリソースを含む。
【０１１０】
例えば、該サイドリンク伝送のフィードバック情報を送信する時間は、
ネットワーク装置から受信する、フィードバック情報の送信に関連する該指示情報をキャリーするＰＤＣＣＨの最後の１つのシンボル又は該ＰＤＣＣＨの所在するスロットの最後の１つのシンボルの後の第三時間；又は
該少なくとも２つの第二ユーザ装置に送信するサイドリンク伝送のデータをキャリーするＰＳＳＣＨの最後の１つのシンボル又は該ＰＳＳＣＨの所在するスロットの最後の１つのシンボルの後の第四時間である。
【０１１１】
本実施例では、ネットワーク装置へ送信する該サイドリンク伝送のフィードバック情報は、該少なくとも２つの第二ユーザ装置からそれぞれ受信する、該第一ユーザ装置から該少なくとも２つの第二ユーザ装置へのサイドリンク伝送の少なくとも２つのフィードバックコードワードのカスケード接続後のフィードバックコードワードを含んでも良い。例えば、第一ユーザ装置及び少なくとも２つの第二ユーザ装置が１組を構成し、各ユーザ装置が順番号を有し、例えば、その順番号を示すＩＤがそれぞれ、０、１、…、ｎ−１である場合、１組にはトータルでｎ個のユーザ装置がある。各第二ユーザ装置のＩＤの順序に従って、各第二ユーザ装置のフィードバックコードワードに対してカスケード接続を行うことができる。そのうち、ＩＤの小から大への順に並び替えを行っても良く、ＩＤの大から小への順に並び替えを行っても良い。
【０１１２】
グループキャストが一対多のスケジューリングであり、同一のＰＤＣＣＨにより複数のＵＥの一回の伝送をスケジューリングするので、組内のすべての第二ユーザ装置（ターゲットＵＥ）について、送信タイミング内で伝送するか、及び伝送に使用するサブキャリア索引がすべて同じであるため、組内のターゲットＵＥについて言えば、毎回フィードバック時間内でフィードバックする必要のあるビット数が等しい。よって、ネットワーク装置について言えば、ソースＵＥがフィードバックするフィードバックコードワードのうちどのようなビットがどのターゲットＵＥのフィードバック情報に対応するかを明確にすることがきで、混淆が生じることがない。
【０１１３】
本実施例では、あるいは、ネットワーク装置に送信する該サイドリンク伝送のフィードバック情報は、先に該第一ユーザ装置から該少なくとも２つの第二ユーザ装置へのサイドリンク伝送のキャリアの所定順序に従って、次に各送信タイミングの順序に従って、フィードバック結果に対してカスケード接続を行った後に形成されるフィードバックコードワードを含んでも良く、該所定順序は、該少なくとも２つの第二ユーザ装置の順番号に従って行う並び替え順序である。そのうち、順番号の小から大への順に並び替えを行っても良く、順番号の大から小への順に並び替えを行っても良い。
【０１１４】
図１０は、本発明の実施例３における第一ユーザ装置の少なくとも２つの第二ユーザ装置へのサイドリンク伝送の各キャリアに対応する各送信タイミングのフィードバック結果を示す図である。図１０に示すように、１組に属する３つの第二ユーザ装置がＵＥ０、ＵＥ１及びＵＥ２であり、第一ユーザ装置から１組に属する３つの第二ユーザ装置へのサイドリンク伝送にすべてキャリア０及びキャリア１が設定されており、これらのキャリアに対応する送信タイミング０、送信タイミング１及び送信タイミング２の一部の送信タイミングにフィードバック結果があり、“００”、“０１”、“１０”又は“１１”と表される。
【０１１５】
例えば、図１０に示すフィードバック結果について、先に該第一ユーザ装置から該少なくとも２つの第二ユーザ装置へのサイドリンク伝送のキャリアの所定順序（第二ユーザ装置の順番号の小から大への順序）に従って、次に各送信タイミングの順序に従って、フィードバック結果に対してカスケード接続を行った後に形成されるフィードバックコードワードは“１１１０１１０１１１０１１１１１１１１００００１”である。
【０１１６】
ステップ９０３では、フィードバック情報の送信に関連する該指示情報、及び、該第一ユーザ装置から該少なくとも２つの第二ユーザ装置へのサイドリンク伝送のフィードバック情報に基づいて、ネットワーク装置にサイドリンク伝送のフィードバック情報を送信する。
【０１１７】
図１１は本発明の実施例３におけるステップ９０３の実現方法を示す図である。図１１に示すように、該方法は以下のステップを含む。
【０１１８】
ステップ１１０１：該第一ユーザ装置から該少なくとも２つの第二ユーザ装置へのサイドリンク伝送のフィードバック情報に対して総合処理を行い、該第一ユーザ装置から該少なくとも２つの第二ユーザ装置へのサイドリンク伝送の全体フィードバック情報を取得する。
【０１１９】
ステップ１１０２：該全体フィードバック情報を該ネットワーク装置に送信する。
【０１２０】
例えば、該総合処理は論理“ＡＮＤ”演算プロセスである。
【０１２１】
例えば、１組に属する４つの第二ユーザ装置（ターゲットＵＥ）のフィードバック結果が｛１、１、１、１｝である場合、第一ユーザ装置（ソースＵＥ）はネットワーク装置へ｛１｝をフィードバックし；組内の該４つの第二ユーザ装置のフィードバック結果が｛１、０、１、１｝である場合、第一ユーザ装置はネットワーク装置に｛０｝をフィードバックする。例えば、１は「正しい」と表し、０は「誤っている」と表す。
【０１２２】
本実施例では、該方法はさらに以下のステップを含んでも良い。
【０１２３】
ステップ９０４：該ネットワーク装置に、該第一ユーザ装置と該ネットワーク装置との間の下りリンク伝送のフィードバック情報を送信する。
【０１２４】
本実施例では、該サイドリンク伝送のフィードバック情報及び該下りリンク伝送のフィードバック情報は同じである又は異なるリソースで送信することができる。
【０１２５】
本実施例では、ステップ９０４はオプションのステップである。
【０１２６】
本実施例では、ステップ９０４及びステップ９０３はそれぞれ実行されても良く、その実行順序については限定せず、また、ステップ９０４及びステップ９０３は合併して行われても良く、例えば、該ネットワーク装置へ該サイドリンク伝送のフィードバック情報及び該下りリンク伝送のフィードバック情報の合併後のフィードバック情報を送信することができる。
【０１２７】
本実施例では、下りリンク伝送のフィードバック情報及びサイドリンク伝送のフィードバック情報を送信する必要があるときに、その具体的な送信方法については実施例２中の記載を参照することができ、ここではその詳しい説明を省略する。
【０１２８】
上述の実施例から分かるように、１組に属するターゲットＵＥがソースＵＥによりネットワーク装置にサイドリンクフィードバック情報を送信することで、グループキャスト形式のサイドリンク伝送のフィードバックメカニズムを提供し、サイドリンクのデータ伝送の信頼性を向上させることができる。
【実施例４】
【０１２９】
本発明の実施例ではさらにフィードバック情報の伝送方法が提供され、該方法はネットワーク装置側に応用される。該方法は実施例１及び実施例２に記載のユーザ装置側に応用されるフィードバック情報の伝送方法に対応する。
【０１３０】
図１２は本発明の実施例４におけるフィードバック情報の伝送方法を示す図である。図１２に示すように、該方法は以下のステップを含む。
【０１３１】
ステップ１２０１：第一ユーザ装置又は第二ユーザ装置に、フィードバック情報の送信に関連する指示情報を送信し；
ステップ１２０２：該第二ユーザ装置又は該第一ユーザ装置から、該第一ユーザ装置から該第二ユーザ装置へのサイドリンク伝送のフィードバック情報を受信する。
【０１３２】
ステップ１２０１では、物理下りリンク制御チャネル（ＰＤＣＣＨ）によりフィードバック情報の送信に関連する該指示情報を送信することができる。
【０１３３】
本実施例では、第一ユーザ装置と第二ユーザ装置との間はサイドリンク伝送を行うことができ、第一ユーザ装置はソースＵＥであり、第二ユーザ装置はターゲットＵＥである。そうすると、該サイドリンク伝送は、第一ユーザ装置から第二ユーザ装置へのサイドリンク伝送である。
【０１３４】
本実施例では、フィードバック情報の送信に関連する該指示情報を送信する方法については実施例１及び実施例２中の記載を参照することができ、ここではその詳しい説明を省略する。
【０１３５】
図１３は本発明の実施例４におけるフィードバック情報の伝送方法を示すもう１つの図である。図１３に示すように、該方法は以下のステップを含む。
【０１３６】
ステップ１３０１：第一ユーザ装置に第一物理下りリンク制御チャネルを送信し、該第一物理下りリンク制御チャネルでは、スケジューリングに関連するフィールドが有効と設定され、フィードバックに関連するフィールドが無効と設定され；
ステップ１３０２：該第二ユーザ装置に第二物理下りリンク制御チャネルを送信し、該第二物理下りリンク制御チャネルでは、スケジューリングに関連するフィールドが無効と設定され、フィードバックに関連するフィールドが有効と設定され；
ステップ１３０３：該第二ユーザ装置又は該第一ユーザ装置から、該第一ユーザ装置から該第二ユーザ装置へのサイドリンク伝送のフィードバック情報を受信する。
【０１３７】
本実施例では、ステップ１３０１及びステップ１３０２は順次実行されても良く、同時実行されても良く、本発明の実施例はこれについて限定しない。
【０１３８】
本実施例では、ステップ１３０１−１３０３の具体的な実現方法については実施例１中の記載を参照することができ、ここではその詳しい説明を省略する。
【０１３９】
上述の実施例から分かるように、ユーザ装置がネットワーク装置にサイドリンクフィードバック情報を送信することで、サイドリンク伝送のフィードバックメカニズムを提供し、サイドリンクのデータ伝送の信頼性を向上させることができる。
【実施例５】
【０１４０】
本発明の実施例ではさらにフィードバック情報の伝送方法が提供され、該方法はネットワーク装置側に応用される。該方法は実施例３に記載のユーザ装置側に応用されるフィードバック情報の伝送方法に対応する。
【０１４１】
図１４は本発明の実施例５におけるフィードバック情報の伝送方法を示す図である。図１４に示すように、該方法は以下のステップを含む。
【０１４２】
ステップ１４０１：第一ユーザ装置に、フィードバック情報の送信に関連する指示情報を送信し；
ステップ１４０２：該第一ユーザ装置から、該第一ユーザ装置から１組に属する少なくとも２つの第二ユーザ装置へのサイドリンク伝送のフィードバック情報を受信する。
【０１４３】
本実施例では、少なくとも２つの第二ユーザ装置が１つの組を構成し、第一ユーザ装置（ソースＵＥ）は１つの組を構成する少なくとも２つのユーザ装置（ターゲットＵＥ）に対してグループキャストの方式でサイドリンク伝送を行う。
【０１４４】
本実施例では、ステップ１４０１及びステップ１４０２の具体的な実現方法については実施例３中の記載を参照することができ、ここではその詳しい説明を省略する。
【０１４５】
本実施例では、該方法はさらに以下のステップを含んでも良い。
【０１４６】
ステップ１４０３：受信する、該第一ユーザ装置から該少なくとも２つの第二ユーザ装置へのサイドリンク伝送のフィードバック情報に対して総合処理を行い、該第一ユーザ装置から該少なくとも２つの第二ユーザ装置へのサイドリンク伝送の全体フィードバック情報を取得する。
【０１４７】
本実施例では、ステップ１４０３はオプションのステップである。
【０１４８】
即ち、第一ユーザ装置（ソースＵＥ）から１組に属する少なくとも２つの第二ユーザ装置へのサイドリンク伝送のフィードバック情報の総合処理は、第一ユーザ装置でなく、ネットワーク装置により実行されても良い。なお、該ネットワーク装置が総合処理を行う方法については実施例３中の記載を参照することができ、ここではその詳しい説明を省略する。
【０１４９】
上述の実施例から分かるように、１組に属するターゲットＵＥがソースＵＥによりネットワーク装置にサイドリンクフィードバック情報を送信することで、グループキャスト形式のサイドリンク伝送のフィードバックメカニズムを提供し、サイドリンクのデータ伝送の信頼性を向上させることができる。
【実施例６】
【０１５０】
本発明の実施例ではさらにフィードバック情報の伝送方法が提供され、該方法はユーザ装置側及びネットワーク装置側に応用される。該方法は実施例１に記載のユーザ装置側に応用されるフィードバック情報の伝送方法及び実施例４に記載のネットワーク装置側に応用されるフィードバック情報の伝送方法に対応する。
【０１５１】
図１５は本発明の実施例６における適用シナリオを示す図である。図１５に示すように、ソースＵＥとしての第一ユーザ装置１５０１はターゲットＵＥとしての第二ユーザ装置１５０２にデータを送信してサイドリンク伝送を行い、第二ユーザ装置１５０２は第一ユーザ装置１５０１の所在するセルのカバレッジ内にあり、該セルはネットワーク装置１５０３によりサービングされ、ネットワーク装置１５０３は第一ユーザ装置１５０１にフィードバック情報の送信に関連する指示情報を送信し、第二ユーザ装置１５０２はネットワーク装置１５０３に該第一ユーザ装置から該第二ユーザ装置へのサイドリンク伝送のフィードバック情報を送信する。
【０１５２】
図１６は本発明の実施例６におけるフィードバック情報の伝送方法を示す図である。図１６に示すように、該方法は以下のステップを含む。
【０１５３】
ステップ１６０１：ネットワーク装置１５０３が第一ユーザ装置１５０１に、フィードバック情報の送信に関連する指示情報を送信し；
ステップ１６０２：第一ユーザ装置１５０１がフィードバック情報の送信に関連する該指示情報を第二ユーザ装置１５０２に転送し；
ステップ１６０３：第一ユーザ装置１５０１が第二ユーザ装置１５０２に対してサイドリンク伝送を行い；
ステップ１６０４：第二ユーザ装置１５０２が第一ユーザ装置１５０１から第二ユーザ装置１５０２へのサイドリンク伝送のフィードバック情報を生成し；
ステップ１６０５：第二ユーザ装置１５０２がフィードバック情報の送信に関連する該指示情報に基づいて、ネットワーク装置１５０３に、該第一ユーザ装置１５０１から該第二ユーザ装置１５０２へのサイドリンク伝送のフィードバック情報を送信する。
【０１５４】
本実施例では、上述の各ステップの具体的な実現方法については実施例１及び実施例４中の記載を参照することができ、ここではその詳しい説明を省略する。
【０１５５】
本実施例では、例えば、第一ユーザ装置１５０１がデータの処理及びパケットの生成を行うために一定の時間を要するため、ステップ１６０２で第一ユーザ装置１５０１が第二ユーザ装置１５０２に指示するフィードバック時間は、ステップ１６０１でネットワーク装置１５０３が第一ユーザ装置１５０１に指示するフィードバック時間よりも小さくても良い。
【０１５６】
上述の実施例から分かるように、第二ユーザ装置がサイドリンクフィードバック情報を生成し、また、ネットワーク装置に該サイドリンクフィードバック情報を送信することで、サイドリンク伝送のフィードバックメカニズムを提供し、サイドリンクのデータ伝送の信頼性を向上させることができる。
【実施例７】
【０１５７】
本発明の実施例ではさらにフィードバック情報の伝送方法が提供され、該方法はユーザ装置側及びネットワーク装置に応用される。該方法は実施例１に記載のユーザ装置側に応用されるフィードバック情報の伝送方法及び実施例４に記載のネットワーク装置側に応用されるフィードバック情報の伝送方法に対応する。
【０１５８】
図１７は本発明の実施例７における適用シナリオを示す図である。図１７に示すように、ソースＵＥとしての第一ユーザ装置１７０１はターゲットＵＥとしての第二ユーザ装置１７０２にデータを送信してサイドリンク伝送を行い、第二ユーザ装置１７０２は第一ユーザ装置１７０１の所在するセルカバレッジ内にあり、該セルはネットワーク装置１７０３によりサービングされ、ネットワーク装置１７０３は第一ユーザ装置１７０１に第一物理下りリンク制御チャネルを送信し、また、第二ユーザ装置１７０２に第二物理下りリンク制御チャネルを送信し、第二ユーザ装置１７０２は、ネットワーク装置１７０３に、該第一ユーザ装置から該第二ユーザ装置へのサイドリンク伝送のフィードバック情報を送信する。
【０１５９】
図１８は本発明の実施例７のフィードバック情報の伝送方法を示す図である。図１８に示すように、該方法は以下のステップを含む。
【０１６０】
ステップ１８０１：ネットワーク装置１７０３が第一ユーザ装置１７０１に第一物理下りリンク制御チャネルを送信し、該第一物理下りリンク制御チャネルでは、スケジューリングに関連するフィールドが有効と設定され、フィードバックに関連するフィールドが無効と設定され；
ステップ１８０２：ネットワーク装置１７０３が第二ユーザ装置１７０２に第二物理下りリンク制御チャネルを送信し、該第二物理下りリンク制御チャネルでは、スケジューリングに関連するフィールドが無効と設定され、フィードバックに関連するフィールドが有効と設定され；
ステップ１８０３：第一ユーザ装置１７０１が第二ユーザ装置１７０２に対してサイドリンク伝送を行い；
ステップ１８０４：第二ユーザ装置１７０２が第一ユーザ装置１７０１から第二ユーザ装置１７０２へのサイドリンク伝送のフィードバック情報を生成し；
ステップ１８０５：第二ユーザ装置１７０２が該フィードバックに関連するフィールドに基づいて、ネットワーク装置１７０３に、該第一ユーザ装置１７０１から該第二ユーザ装置１７０２へのサイドリンク伝送のフィードバック情報を送信する。
【０１６１】
本実施例では、ステップ１８０１及びステップ１８０２は順次実行されても良く、同時実行されても良い。
【０１６２】
本実施例では、上述の各ステップの具体的な実現方法については実施例１及び実施例４中の記載を参照することができ、ここではその詳しい説明を省略する。
【０１６３】
上述の実施例から分かるように、第二ユーザ装置がサイドリンクフィードバック情報を生成し、また、ネットワーク装置に該サイドリンクフィードバック情報を送信することで、サイドリンク伝送のフィードバックメカニズムを提供し、サイドリンクのデータ伝送の信頼性を向上させることができる。また、サイドリンク制御チャネルＰＳＣＣＨにおけるＳＣＩ指示情報には、ターゲットＵＥがフィードバックを行うことの指示に関連するフィールドが含まれる必要がない。
【実施例８】
【０１６４】
本発明の実施例ではさらにフィードバック情報の伝送方法が提供され、該方法はユーザ装置側及びネットワーク装置側に応用される。該方法は実施例１に記載のユーザ装置側に応用されるフィードバック情報の伝送方法及び実施例４に記載のネットワーク装置側に応用されるフィードバック情報の伝送方法に対応する。
【０１６５】
図１９は本発明の実施例８の適用シナリオを示す図である。図１９に示すように、ソースＵＥとしての第一ユーザ装置１９０１はターゲットＵＥとしての第二ユーザ装置１９０２にデータを送信してサイドリンク伝送を行い、第二ユーザ装置１９０２は第一ユーザ装置１９０１の所在するセルカバレッジ内にあっても良く、該セルカバレッジ外にあっても良く、該セルはネットワーク装置１９０３によりサービングされ、ネットワーク装置１９０３は第一ユーザ装置１９０１に、フィードバック情報の送信に関連する指示情報を送信し、第一ユーザ装置１９０１は、第二ユーザ装置１９０２から、該第一ユーザ装置から該第二ユーザ装置へのサイドリンク伝送のフィードバック情報を受信し、また、ネットワーク装置１９０３に送信する。
【０１６６】
図２０は本発明の実施例８におけるフィードバック情報の伝送方法を示す図である。図２０に示すように、該方法は以下のステップを含む。
【０１６７】
ステップ２００１：ネットワーク装置１９０３が第一ユーザ装置１９０１にフィードバック情報の送信に関連する指示情報を送信し；
ステップ２００２：第一ユーザ装置１９０１が第二ユーザ装置１９０２に対してサイドリンク伝送を行い；
ステップ２００３：第二ユーザ装置１９０２が第一ユーザ装置から第二ユーザ装置へのサイドリンク伝送のフィードバック情報を生成し；
ステップ２００４：第二ユーザ装置１９０２が該第一ユーザ装置から第二ユーザ装置へのサイドリンク伝送のフィードバック情報を第一ユーザ装置１９０１に送信し；
ステップ２００５：第一ユーザ装置１９０１がフィードバック情報の送信に関連する該指示情報に基づいて、ネットワーク装置１９０３に、該第一ユーザ装置から該第二ユーザ装置へのサイドリンク伝送のフィードバック情報を送信する。
【０１６８】
本実施例では、上述の各ステップの具体的な実現方法については実施例１及び実施例４中の記載を参照することができ、ここではその詳しい説明を省略する。
【０１６９】
上述の実施例から分かるように、第一ユーザ装置が第二ユーザ装置により生成されるサイドリンクフィードバック情報を受信し、また、ネットワーク装置に該サイドリンクフィードバック情報を送信することで、サイドリンク伝送のフィードバックメカニズムを提供し、サイドリンクのデータ伝送の信頼性を向上させることができる。また、サイドリンク制御チャネルＰＳＣＣＨにおけるＳＣＩ指示情報には、ターゲットＵＥがフィードバックを行うことの指示に関連するフィールドが含まれる必要がない。
【実施例９】
【０１７０】
本発明の実施例ではさらにフィードバック情報の伝送方法が提供され、該方法はユーザ装置側及びネットワーク装置側に応用される。該方法は実施例２に記載のユーザ装置側に応用されるフィードバック情報の伝送方法及び実施例４に記載のネットワーク装置側に応用されるフィードバック情報の伝送方法に対応する。
【０１７１】
図２１は本発明の実施例９におけるフィードバック情報の伝送方法を示す図である。図２１に示すように、該方法は以下のステップを含む。
【０１７２】
ステップ２１０１：ネットワーク装置がユーザ装置に、フィードバック情報の送信に関連する指示情報を送信し；
ステップ２１０２：ユーザ装置がもう１つのユーザ装置に対してサイドリンク伝送を行い；
ステップ２１０３：もう１つのユーザ装置が該ユーザ装置からもう１つのユーザ装置へのサイドリンク伝送のフィードバック情報を生成し；
ステップ２１０４：もう１つのユーザ装置が該ユーザ装置から該もう１つのユーザ装置へのサイドリンク伝送のフィードバック情報を該ユーザ装置に送信し；
ステップ２１０５：該ユーザ装置がネットワーク装置に、該ユーザ装置からもう１つのユーザ装置へのサイドリンク伝送のフィードバック情報、及び、該ユーザ装置と該ネットワーク装置との間の下りリンク伝送のフィードバック情報を送信する。
【０１７３】
本実施例では、上述の各ステップの具体的な実現方法については実施例２及び実施例４中の記載を参照することができ、ここではその詳しい説明を省略する。
【０１７４】
上述の実施例から分かるように、ユーザ装置がネットワーク装置にサイドリンクフィードバック情報を送信することで、サイドリンク伝送のフィードバックメカニズムを提供し、サイドリンクのデータ伝送の信頼性を向上させることができる。また、サイドリンク伝送のフィードバック情報及び下りリンク伝送のフィードバック情報が同時に存在する場合におけるフィードバックメカニズムも提供している。
【実施例１０】
【０１７５】
本発明の実施例ではさらにフィードバック情報の伝送方法が提供され、該方法はユーザ装置側及びネットワーク装置側に応用される。該方法は実施例３に記載のユーザ装置側に応用されるフィードバック情報の伝送方法及び実施例５に記載のネットワーク装置側に応用されるフィードバック情報の伝送方法に対応する。
【０１７６】
図２２は本発明の実施例１０における適用シナリオを示す図である。図２２に示すように、ソースＵＥとしての第一ユーザ装置２２０１はターゲットＵＥとしての１組に属する少なくとも２つの第二ユーザ装置２２０２にデータを送信してサイドリンク伝送を行い、図２２では３つの第二ユーザ装置２２０２−０〜２２０２−２を例にとって説明する。１組に属する３つの第二ユーザ装置２２０２−０〜２２０２−２は第一ユーザ装置２２０１の所在するセルカバレッジ内にあっても良く、該セルカバレッジ外にあっても良く、該セルはネットワーク装置２２０３によりサービングされ、ネットワーク装置２２０３は第一ユーザ装置２２０１に、フィードバック情報の送信に関連する指示情報を送信し、第一ユーザ装置２２０１は、１組に属する３つの第二ユーザ装置２２０２−０〜２２０２−２から、該第一ユーザ装置から１組に属する３つの第二ユーザ装置へのサイドリンク伝送のフィードバック情報を受信し、また、ネットワーク装置２２０３に送信する。
【０１７７】
図２３は本発明の実施例１０のフィードバック情報の伝送方法を示す図である。図２３に示すように、該方法は以下のステップを含む。
【０１７８】
ステップ２３０１：ネットワーク装置２２０３が第一ユーザ装置２２０１に、フィードバック情報の送信に関連する指示情報を送信し；
ステップ２３０２：第一ユーザ装置２２０１が１組に属する３つの第二ユーザ装置２２０２−０〜２２０２−２に対してサイドリンク伝送を行い；
ステップ２３０３：１組に属する３つの第二ユーザ装置２２０２−０〜２２０２−２が第一ユーザ装置から１組に属する３つの第二ユーザ装置へのサイドリンク伝送のフィードバック情報を生成し；
ステップ２３０４：１組に属する３つの第二ユーザ装置２２０２−０〜２２０２−２が該第一ユーザ装置から１組に属する３つの第二ユーザ装置へのサイドリンク伝送のフィードバック情報を第一ユーザ装置２２０１に送信し；
ステップ２３０５：第一ユーザ装置２３０１がフィードバック情報の送信に関連する該指示情報に基づいて、ネットワーク装置２３０３に、該第一ユーザ装置から１組に属する３つの第二ユーザ装置へのサイドリンク伝送のフィードバック情報を送信する。
【０１７９】
本実施例では、上述の各ステップの具体的な実現方法については実施例３及び実施例５中の記載を参照することができ、ここではその詳しい説明を省略する。
【０１８０】
上述の実施例から分かるように、１組に属するターゲットＵＥがソースＵＥによりネットワーク装置にサイドリンクフィードバック情報を送信することで、グループキャスト形式のサイドリンク伝送のフィードバックメカニズムを提供し、サイドリンクのデータ伝送の信頼性を向上させることができる。
【実施例１１】
【０１８１】
本発明の実施例ではフィードバック情報の伝送装置が提供され、該装置はユーザ装置側に配置される。該装置が問題を解決する原理が実施例１における方法と類似しているからその具体的な実施については実施例１に記載の方法の実施を参照することができ、ここでは、内容が同じであり又は関連する箇所の重複説明が省略される。
【０１８２】
図２４は本発明の実施例１１におけるフィードバック情報の伝送装置を示す図である。それは第二ユーザ装置側に設置される。図２４に示すように、装置２４００は以下のものを含む。
【０１８３】
生成ユニット２４０１：第二ユーザ装置がリンクフィードバック情報を生成するために用いられ；及び
第一送信ユニット２４０２：ネットワーク装置に該サイドリンクフィードバック情報を送信し、該サイドリンクフィードバック情報は該第一ユーザ装置から該第二ユーザ装置へのサイドリンク伝送のフィードバック情報である。
【０１８４】
本実施例では、該装置２４００はさらに以下のものを含んでも良い。
【０１８５】
第二受信ユニット２４０３：第一ユーザ装置又はネットワーク装置から、フィードバック情報の送信に関連する指示情報を受信する。
【０１８６】
該第一送信ユニット２４０２はフィードバック情報の送信に関連する該指示情報に基づいて、ネットワーク装置に、該第一ユーザ装置から該第二ユーザ装置へのサイドリンク伝送のフィードバック情報を送信する。
【０１８７】
フィードバック情報の送信に関連する該指示情報は該サイドリンク伝送のフィードバック情報を送信する時間及び／又は該サイドリンク伝送のフィードバック情報の送信に使用するリソースを含む。
【０１８８】
本実施例では、該第一送信ユニット２４０２が該サイドリンク伝送のフィードバック情報を送信する時間は、フィードバック情報の送信に関連する該指示情報に含まれても良く、又は、事前定義又は事前設定されても良い。
【０１８９】
例えば、該サイドリンク伝送のフィードバック情報を送信する時間は、第一ユーザ装置又はネットワーク装置から受信する、フィードバック情報の送信に関連する該指示情報をキャリーする物理下りリンク制御チャネル（ＰＤＣＣＨ）の最後の１つのシンボル又は該物理下りリンク制御チャネルの所在するスロットの最後の１つのシンボルの後の第一時間、あるいは、第一ユーザ装置から受信する、サイドリンク伝送のデータをキャリーする物理サイドリンク共有チャネル（ＰＳＳＣＨ）の最後の１つのシンボル又は該物理サイドリンク共有チャネルの所在するスロットの最後の１つのシンボルの後の第二時間である。
【０１９０】
本実施例では、フィードバック情報の送信に関連する該指示情報は制御シグナリングにより送信することができる。
【０１９１】
例えば、該第二受信ユニット２４０３が第一ユーザ装置からフィードバック情報の送信に関連する指示情報を受信する場合、該制御シグナリングは物理サイドリンク制御チャネル（ＰＳＣＣＨ）によりキャリー（ｃａｒｒｙ）され；及び／又は、該第二受信ユニット２４０３がネットワーク装置から、フィードバック情報の送信に関連する指示情報を受信する場合、該制御シグナリングは、物理下りリンク制御チャネル（ＰＤＣＣＨ）によりキャリー（ｃａｒｒｙ）される。該ＰＤＣＣＨでは、スケジューリングに関連するフィールドが無効と設定され、フィードバックに関連するフィールドが有効と設定される。
【０１９２】
図２５は本発明の実施例１１のフィードバック情報の伝送装置を示すもう１つの図である。それは第一ユーザ装置側に設置される。図２５に示すように、装置２５００は以下のものを含む。
【０１９３】
第一受信ユニット２５０１：第一ユーザ装置がリンクフィードバック情報を受信するために用いられ；及び
第一送信ユニット２５０２：ネットワーク装置に該サイドリンクフィードバック情報を送信し、該サイドリンクフィードバック情報は、該第一ユーザ装置から該第二ユーザ装置へのサイドリンク伝送のフィードバック情報である。
【０１９４】
本実施例では、該装置２５００はさらに以下のものを含まれても良い。
【０１９５】
第三受信ユニット２５０３：ネットワーク装置から、フィードバック情報の送信に関連する指示情報を受信する。
【０１９６】
該第一受信ユニット２５０１は、第二ユーザ装置から、該第一ユーザ装置から該第二ユーザ装置へのサイドリンク伝送のフィードバック情報を受信する。
【０１９７】
該第一送信ユニット２５０２は、該第三受信ユニットが受信する、フィードバック情報の送信に関連する該指示情報に基づいてネットワーク装置に、該第一ユーザ装置から該第二ユーザ装置へのサイドリンク伝送のフィードバック情報を送信する。
【０１９８】
例えば、ネットワーク装置からフィードバック情報の送信に関連する指示情報を受信することは、物理下りリンク制御チャネル（ＰＤＣＣＨ）によりフィードバック情報の送信に関連する該指示情報を受信することを含む。
【０１９９】
例えば、フィードバック情報の送信に関連する該指示情報は、該サイドリンク伝送のフィードバック情報を送信する時間及び／又は該サイドリンク伝送のフィードバック情報の送信に使用するリソースを含む。
【０２００】
例えば、該サイドリンク伝送のフィードバック情報を送信する時間は、該第三受信ユニット２５０３がネットワーク装置から受信する、フィードバック情報の送信に関連する該指示情報をキャリーするＰＤＣＣＨの最後の１つのシンボル又は該ＰＤＣＣＨの所在するスロットの最後の１つのシンボルの後の第三時間、あるいは、該第二ユーザ装置に受信するサイドリンク伝送のデータをキャリーするＰＳＳＣＨの最後の１つのシンボル又は該ＰＳＳＣＨの所在するスロットの最後の１つのシンボルの後の第四時間である。
【０２０１】
図２６は本発明の実施例１１におけるフィードバック情報の伝送装置を示す他の図であり、それは第一ユーザ装置側に設置され、且つ図２４に示す第二ユーザ装置側に設置されるフィードバック情報の伝送装置に対応する。図２６に示すように、装置２６００は以下のものを含む。
【０２０２】
第四受信ユニット２６０１：ネットワーク装置から、フィードバック情報の送信に関連する指示情報を受信し；
第二送信ユニット２６０２：フィードバック情報の送信に関連する該指示情報を第二ユーザ装置に転送する。
【０２０３】
そのうち、該第一ユーザ装置は該第二ユーザ装置に対してサイドリンク伝送を行う。
【０２０４】
該第二送信ユニット２６０２は物理サイドリンク制御チャネル（ＰＳＣＣＨ）により該第二ユーザ装置に、フィードバック情報の送信に関連する該指示情報を送信する。
【０２０５】
該第四受信ユニット２６０１は、物理下りリンク制御チャネル（ＰＤＣＣＨ）によりフィードバック情報の送信に関連する該指示情報を受信することができる。
【０２０６】
図２７は本発明の実施例１１におけるフィードバック情報の伝送装置を示す他の図であり、それは第二ユーザ装置側に設置され、且つ図２５に示す第一ユーザ装置側に設置されるフィードバック情報の伝送装置に対応する。図２７に示すように、装置２７００は以下のものを含む。
【０２０７】
第三送信ユニット２７０１：第一ユーザ装置に、該第一ユーザ装置から第二ユーザ装置へのサイドリンク伝送のフィードバック情報を送信する。
【０２０８】
上述の実施例から分かるように、ユーザ装置がサイドリンクフィードバック情報を受信又は生成し、そして、ネットワーク装置に該サイドリンクフィードバック情報を送信することで、サイドリンク伝送のフィードバックメカニズムを提供し、サイドリンクのデータ伝送の信頼性を向上させることができる。
【実施例１２】
【０２０９】
本発明の実施例ではフィードバック情報の伝送装置が提供され、該装置はユーザ装置側に配置される。該装置が問題を解決する原理が実施例２における方法に類似しているから、その具体的な実施については実施例２に記載の方法の実施を参照することができ、ここでは、内容が同じであり又は関連する箇所の重複説明が省略される。
【０２１０】
図２８は本発明の実施例１２におけるフィードバック情報の伝送装置を示す図である。それはユーザ装置側に設置される。図２８に示すように、装置２８００は以下のものを含む。
【０２１１】
第四送信ユニット２８０１：ネットワーク装置に、該ユーザ装置からもう１つのユーザ装置へのサイドリンク伝送のフィードバック情報、及び該ユーザ装置と該ネットワーク装置との間の下りリンク伝送のフィードバック情報を送信する。
【０２１２】
本実施例では、該サイドリンク伝送のフィードバック情報及び該下りリンク伝送のフィードバック情報は同じである又は異なるリソース上で送信することができる。
【０２１３】
例えば、該サイドリンク伝送のフィードバック情報はサイドリンク伝送をスケジューリングする第一物理下りリンク制御チャネルにおいて指示される第一リソースにより送信され、該下りリンク伝送のフィードバック情報は下りリンク伝送をスケジューリングする第二物理下りリンク制御チャネルにおいて指示される第二リソースにより送信され、該第一リソース及び該第二リソースは同じであり又は異なる。
【０２１４】
本実施例では、該第四送信ユニット２８０１は、該ネットワーク装置に、該サイドリンク伝送のフィードバック情報及び該下りリンク伝送のフィードバック情報の合併後のフィードバック情報を送信することができる。
【０２１５】
例えば、該合併後のフィードバック情報は、先に該下りリンク伝送のキャリア及びサイドリンク伝送のキャリアの所定順序に従って、次に各送信タイミングの順序に従って、フィードバック結果に対して並び替え及びカスケード接続を行った後に形成されるフィードバックコードワードを含み、該所定順序は該下りリンク伝送のキャリアが前にあり且つ該サイドリンク伝送のキャリアが後にあり、又は、該サイドリンク伝送のキャリアが前にあり且つ該下りリンク伝送のキャリアが後にあるというものであり、あるいは、先に該下りリンク伝送のキャリアの順序に従って、次に各送信タイミングの順序に従って、フィードバック結果に対して並び替え及びカスケード接続を行った後に形成される第一フィードバックコードワード、及び、先に該サイドリンク伝送のキャリアの順序に従って、次に各送信タイミングの順序に従って、フィードバック結果に対して並び替え及びカスケード接続を行った後に形成される第二フィードバックコードワードに対して再びカスケード接続を行った後に形成されるフィードバックコードワードを含み、そのうち、該第一フィードバックコードワードは該第二フィードバックコードワードの前にあり、又は、該第一フィードバックコードワードは該第二フィードバックコードワードの後にある。
【０２１６】
上述の実施例から分かるように、ユーザ装置がネットワーク装置にサイドリンクフィードバック情報を送信することで、サイドリンク伝送のフィードバックメカニズムを提供し、サイドリンクのデータ伝送の信頼性を向上させることができる。また、サイドリンク伝送のフィードバック情報及び下りリンク伝送のフィードバック情報が同時に存在する場合におけるフィードバックメカニズムも提供している。
【実施例１３】
【０２１７】
本発明の実施例ではフィードバック情報の伝送装置が提供され、該装置はユーザ装置側に配置される。該装置が問題を解決する原理が実施例３における方法に類似しているから、その具体的な実施については実施例３に記載の方法の実施を参照することができ、ここでは、内容が同じであり又は関連する箇所の重複説明が省略される。
【０２１８】
図２９は本発明の実施例１３のフィードバック情報の伝送装置を示す図である。それは第一ユーザ装置側に配置される。図２９に示すように、装置２９００は以下のものを含む。
【０２１９】
第五受信ユニット２９０１：ネットワーク装置から、フィードバック情報の送信に関連する指示情報を受信し；
第六受信ユニット２９０２：１組に属する少なくとも２つの第二ユーザ装置からそれぞれ、該第一ユーザ装置から該少なくとも２つの第二ユーザ装置へのサイドリンク伝送のフィードバック情報を受信し；
第五送信ユニット２９０３：フィードバック情報の送信に関連する該指示情報、及び、該第一ユーザ装置から該少なくとも２つの第二ユーザ装置へのサイドリンク伝送のフィードバック情報に基づいて、ネットワーク装置にサイドリンク伝送のフィードバック情報を送信する。
【０２２０】
本実施例では、該第五受信ユニット２９０１は物理下りリンク制御チャネル（ＰＤＣＣＨ）によりフィードバック情報の送信に関連する該指示情報を受信することができる。
【０２２１】
例えば、フィードバック情報の送信に関連する該指示情報は該サイドリンク伝送のフィードバック情報を送信する時間及び／又は該サイドリンク伝送のフィードバック情報の送信に使用するリソースを含む。
【０２２２】
本実施例では、該第五送信ユニット２９０１が該サイドリンク伝送のフィードバック情報を送信する時間は、該第五受信ユニット２９０１がネットワーク装置から受信する、フィードバック情報の送信に関連する該指示情報をキャリーするＰＤＣＣＨの最後の１つのシンボル又は該ＰＤＣＣＨの所在するスロットの最後の１つのシンボルの後の第三時間；又は、該少なくとも２つの第二ユーザ装置に送信するサイドリンク伝送のデータをキャリーするＰＳＳＣＨの最後の１つのシンボル又は該ＰＳＳＣＨの所在するスロットの最後の１つのシンボルの後の第四時間であっても良い。
【０２２３】
本実施例では、該第五送信ユニット２９０１がネットワーク装置に送信する該サイドリンク伝送のフィードバック情報は、該少なくとも２つの第二ユーザ装置からそれぞれ受信する、該第一ユーザ装置から該少なくとも２つの第二ユーザ装置へのサイドリンク伝送の少なくとも２つのフィードバックコードワードのカスケード接続後のフィードバックコードワード、又は、先に該第一ユーザ装置から該少なくとも２つの第二ユーザ装置へのサイドリンク伝送のキャリアの所定順序に従って、次に各送信タイミングの順序に従って、フィードバック結果に対してカスケード接続を行った後に形成されるフィードバックコードワードを含んでも良く、該所定順序は該少なくとも２つの第二ユーザ装置の順番号に従って行う並び替え順序である。
【０２２４】
本実施例では、該第五送信ユニット２９０１は該第一ユーザ装置から該少なくとも２つの第二ユーザ装置へのサイドリンク伝送のフィードバック情報に対して総合処理を行い、該第一ユーザ装置から該少なくとも２つの第二ユーザ装置へのサイドリンク伝送の全体フィードバック情報を取得し、そして、該全体フィードバック情報を該ネットワーク装置に送信しても良い。
【０２２５】
例えば、該総合処理は論理“ＡＮＤ”演算プロセスである。
【０２２６】
本実施例では、該第五送信ユニットはさらに該ネットワーク装置に、該第一ユーザ装置と該ネットワーク装置との間の下りリンク伝送のフィードバック情報を送信するために用いられる。
【０２２７】
本実施例では、該サイドリンク伝送のフィードバック情報及び該下りリンク伝送のフィードバック情報は同じである又は異なるリソース上で送信することができる。
【０２２８】
本実施例では、該第五送信ユニット２９０１は該ネットワーク装置に該サイドリンク伝送のフィードバック情報及び該下りリンク伝送のフィードバック情報の合併後のフィードバック情報を送信しても良い。
【０２２９】
上述の実施例から分かるように、１組に属するターゲットＵＥがソースＵＥによりネットワーク装置にサイドリンクフィードバック情報を送信することで、グループキャスト形式のサイドリンク伝送のフィードバックメカニズムを提供し、サイドリンクのデータ伝送の信頼性を向上させることができる。
【実施例１４】
【０２３０】
本発明の実施例ではフィードバック情報の伝送装置が提供され、該装置はネットワーク装置側に配置される。該装置が問題を解決する原理が実施例４における方法に類似しているから、その具体的な実施については実施例４に記載の方法の実施を参照することができ、ここでは、内容が同じであり又は関連する箇所の重複説明が省略される。
【０２３１】
図３０は本発明の実施例１４のフィードバック情報の伝送装置を示す図である。それはネットワーク装置側に設置される。図３０に示すように、装置３０００は以下のものを含む。
【０２３２】
第六送信ユニット３００１：第一ユーザ装置又は第二ユーザ装置に、フィードバック情報の送信に関連する指示情報を送信し；
第七受信ユニット３００２：該第二ユーザ装置又は該第一ユーザ装置から、該第一ユーザ装置から該第二ユーザ装置へのサイドリンク伝送のフィードバック情報を受信する。
【０２３３】
本実施例では、該第六送信ユニット３００１は物理下りリンク制御チャネル（ＰＤＣＣＨ）によりフィードバック情報の送信に関連する該指示情報を送信することができる。
【０２３４】
本実施例では、該第六送信ユニット３００１は該第二ユーザ装置に第二物理下りリンク制御チャネルを送信することができ、該第二物理下りリンク制御チャネルでは、スケジューリングに関連するフィールドが無効と設定され、フィードバックに関連するフィールドが有効と設定される。
【０２３５】
本実施例では、該装置３０００はさらに以下のものを含んでも良い。
【０２３６】
第七送信ユニット３００３：第一ユーザ装置に第一物理下りリンク制御チャネルを送信し、該第一物理下りリンク制御チャネルでは、スケジューリングに関連するフィールドが有効と設定され、フィードバックに関連するフィールドが無効と設定される。
【０２３７】
上述の実施例から分かるように、ユーザ装置がネットワーク装置にサイドリンクフィードバック情報を送信することで、サイドリンク伝送のフィードバックメカニズムを提供し、サイドリンクのデータ伝送の信頼性を向上させることができる。
【実施例１５】
【０２３８】
本発明の実施例ではフィードバック情報の伝送装置が提供され、該装置はネットワーク装置側に配置される。該装置が問題を解決する原理が実施例５の方法に類似しているから、その具体的な実施については実施例５に記載の方法の実施を参照することができ、ここでは、内容が同じであり又は関連する箇所の重複説明が省略される。
【０２３９】
図３１は本発明の実施例１５のフィードバック情報の伝送装置を示す図である。それはネットワーク装置側に設置される。図３１に示すように、装置３１００は以下のものを含む。
【０２４０】
第八送信ユニット３１０１：第一ユーザ装置に、フィードバック情報の送信に関連する指示情報を送信し；
第八受信ユニット３１０２：該第一ユーザ装置から、該第一ユーザ装置から１組に属する少なくとも２つの第二ユーザ装置へのサイドリンク伝送のフィードバック情報を受信する。
【０２４１】
本実施例では、該装置はさらに以下のものを含まれても良い。
【０２４２】
処理ユニット３１０３：受信する、該第一ユーザ装置から該少なくとも２つの第二ユーザ装置へのサイドリンク伝送のフィードバック情報に対して総合処理を行い、該第一ユーザ装置から該少なくとも２つの第二ユーザ装置へのサイドリンク伝送の全体フィードバック情報を得る。
【０２４３】
本実施例では、該第一ユーザ装置から受信する該サイドリンク伝送のフィードバック情報は、該第一ユーザ装置から該少なくとも２つの第二ユーザ装置へのサイドリンク伝送のフィードバック情報に対して総合処理を行った後に得た全体フィードバック情報であっても良い。
【０２４４】
上述の実施例から分かるように、１組に属するターゲットＵＥがソースＵＥによりネットワーク装置にサイドリンクフィードバック情報を送信することで、グループキャスト形式のサイドリンク伝送のフィードバックメカニズムを提供し、サイドリンクのデータ伝送の信頼性を向上させることができる。
【実施例１６】
【０２４５】
本発明の実施例ではユーザ装置が提供され、該ユーザ装置は実施例１１又は実施例１２又は実施例１３に記載のフィードバック情報の伝送装置を含む。
【０２４６】
図３２は本発明の実施例１６におけるユーザ装置のシステム構成の構成図である。図３２に示すように、ユーザ装置３２００は処理器３２１０及び記憶器３２２０を含んでも良く、記憶器３２２０は処理器３２１０に接続される。なお、該図は例示に過ぎず、さらに他の類型の構造を用いて該構造に対して補充又は代替を行うことで電気通信機能又は他の機能を実現することもできる。
【０２４７】
１つの実施方式において、フィードバック情報の伝送装置の機能は処理器３２１０に統合されても良い。そのうち、処理器３２１０は次のように構成されても良く、即ち、第一ユーザ装置がサイドリンクフィードバック情報を受信し、又は、第二ユーザ装置がサイドリンクフィードバック情報を生成し；及び、ネットワーク装置に前記サイドリンクフィードバック情報を送信し、前記サイドリンクフィードバック情報は前記第一ユーザ装置から前記第二ユーザ装置へのサイドリンク伝送のフィードバック情報である。
【０２４８】
あるいは、処理器３２１０は次のように構成されても良く、即ち、ネットワーク装置からフィードバック情報の送信に関連する指示情報を受信し；前記フィードバック情報の送信に関連する指示情報を第二ユーザ装置に転送し、そのうち、前記第一ユーザ装置は前記第二ユーザ装置に対してサイドリンク伝送を行う。
【０２４９】
あるいは、処理器３２１０は次のように構成されても良く、即ち、第一ユーザ装置に前記第一ユーザ装置から第二ユーザ装置へのサイドリンク伝送のフィードバック情報を送信する。
【０２５０】
あるいは、処理器３２１０は次のように構成されても良く、ネットワーク装置に前記ユーザ装置からもう１つのユーザ装置へのサイドリンク伝送のフィードバック情報、及び前記ユーザ装置と前記ネットワーク装置と間の下りリンク伝送のフィードバック情報を送信する。
【０２５１】
あるいは、処理器３２１０は次のように構成されても良く、ネットワーク装置からフィードバック情報の送信に関連する指示情報を受信し；１組に属する少なくとも２つの第二ユーザ装置からそれぞれ、前記第一ユーザ装置から前記少なくとも２つの第二ユーザ装置へのサイドリンク伝送のフィードバック情報を受信し；前記フィードバック情報の送信に関連する指示情報、及び前記第一ユーザ装置から前記少なくとも２つの第二ユーザ装置へのサイドリンク伝送のフィードバック情報に基づいて、ネットワーク装置にサイドリンク伝送のフィードバック情報を送信する。
【０２５２】
もう１つの个実施方式において、フィードバック情報の伝送装置は処理器３２１０と独立して配置されても良く、例えば、フィードバック情報の伝送装置を、処理器３２１０に接続されるチップとして構成し、処理器３２１０の制御によりフィードバック情報の伝送装置の機能を実現しても良い。
【０２５３】
図３２に示すように、該ユーザ装置３２００はさらに、通信モジュール３２３０、入力ユニット３２４０、表示器３２５０、電源３２６０などを含んでも良い。なお、ユーザ装置３２００は図３２のすべての部品を含む必要がない。また、ユーザ装置３２００はさらに図３２にないものを含んでも良いが、これについては関連技術を参照することができる。
【０２５４】
図３２に示すように、処理器３２１０は制御器又は操作コントローラと称される場合があり、マイクロプロセッサ、他の処理器装置及び／又は論理装置を含んでも良く、該処理器３２１０は入力を受信してユーザ装置３２００の各部品の操作を制御することができる。
【０２５５】
そのうち、記憶器３２２０は、例えば、バッファ、フレッシュメモリ、ＨＤＤ、可移動媒体、揮発性記憶器、不揮発性記憶器又は他の適切な装置のうちの１つ又は複数であっても良く、各種のデータを記憶することができる。また、情報処理用のプログラムを記憶することもできる。処理器３２１０は該記憶器３２２０に記憶の該プログラムを実行することで、情報の記憶又は処理などを実現することができる。なお、他の部品の機能が従来と類似しているから、ここではその詳しい説明を省略する。ユーザ装置３２００の各部品は専用ハードウェア、ファームウェア、ソフトウェア又はその組み合わせにより実現されても良く、これらはすべて本発明の範囲に属する。
【０２５６】
上述の実施例から分かるように、ユーザ装置がサイドリンクフィードバック情報を受信又は生成し、そして、ネットワーク装置に該サイドリンクフィードバック情報を送信することで、サイドリンク伝送のフィードバックメカニズムを提供し、サイドリンクのデータ伝送の信頼性を向上させることができる。
【０２５７】
あるいは、ユーザ装置がネットワーク装置にサイドリンクフィードバック情報を送信することで、サイドリンク伝送のフィードバックメカニズムを提供し、サイドリンクのデータ伝送の信頼性を向上させることができる。また、サイドリンク伝送のフィードバック情報及び下りリンク伝送のフィードバック情報が同時に存在する場合におけるフィードバックメカニズムも提供している。
【０２５８】
あるいは、１組に属するターゲットＵＥがソースＵＥによりネットワーク装置にサイドリンクフィードバック情報を送信することで、グループキャスト形式のサイドリンク伝送のフィードバックメカニズムを提供し、サイドリンクのデータ伝送の信頼性を向上させることができる。
【実施例１７】
【０２５９】
本発明の実施例ではネットワーク装置が提供され、該ネットワーク装置は実施例１４又は実施例１５に記載のフィードバック情報の伝送装置を含む。
【０２６０】
図３３は本発明の実施例１７におけるネットワーク装置の構成図である。図３３に示すように、ネットワーク装置３３００は、処理器（ｐｒｏｃｅｓｓｏｒ）３３１０及び記憶器３３２０を含んでも良く；記憶器３３２０は処理器３３１０に接続される。そのうち、該記憶器３３２０は各種のデータを記憶することができ；また、情報処理用のプログラム３３３０をさらに記憶することができ、且つ処理器３３１０の制御下で該プログラム３３３０を実行して、ユーザ装置送信の各種情報を受信し、ユーザ装置に各種の情報を送信することもできる。
【０２６１】
１つの実施方式において、フィードバック情報の伝送装置の機能は処理器３３１０に集積されても良い。そのうち、処理器３３１０は次のように構成されても良く、即ち、第一ユーザ装置又は第二ユーザ装置に、フィードバック情報の送信に関連する指示情報を送信し；及び、前記第二ユーザ装置又は前記第一ユーザ装置から、前記第一ユーザ装置から前記第二ユーザ装置へのサイドリンク伝送のフィードバック情報を受信する。
【０２６２】
あるいは、処理器３３１０は次のように構成されても良く、第一ユーザ装置に、フィードバック情報の送信に関連する指示情報を送信し；及び、前記第一ユーザ装置から、前記第一ユーザ装置から１組に属する少なくとも２つの第二ユーザ装置へのサイドリンク伝送のフィードバック情報を受信する。
【０２６３】
もう１つの个実施方式において、フィードバック情報の伝送装置は処理器３３１０と別々で配置されても良く、例えば、フィードバック情報の伝送装置を、処理器３３１０に接続されるチップとして構成し、処理器３３１０の制御によりフィードバック情報の伝送装置の機能を実現しても良い。
【０２６４】
また、図３３に示すように、ネットワーク装置３３００はさらに、送受信機３３４０、アンテナ３３５０などを含んでも良く、そのうち、これらの部品の機能が従来技術と類似しているから、ここではその詳しい説明を省略する。なお、ネットワーク装置３３００は図３３に示すすべての部件を含む必要がない。また、ネットワーク装置３３００はさらに図３３に示さないものを含んでも良く、これについては、従来技術を参照することができる。
【０２６５】
上述の実施例から分かるように、ユーザ装置がネットワーク装置にサイドリンクフィードバック情報を送信することで、サイドリンク伝送のフィードバックメカニズムを提供し、サイドリンクのデータ伝送の信頼性を向上させることができる。
【０２６６】
あるいは、１組に属するターゲットＵＥがソースＵＥによりネットワーク装置にサイドリンクフィードバック情報を送信することで、グループキャスト形式のサイドリンク伝送のフィードバックメカニズムを提供し、サイドリンクのデータ伝送の信頼性を向上させることができる。
【実施例１８】
【０２６７】
本発明の実施例では通信システムが提供され、それは実施例１７に記載のユーザ装置及び／又は実施例１８に記載のネットワーク装置を含む。
【０２６８】
例えば、該通信システムの構造は図１を参照することができる。図１に示すように、通信システム１００はネットワーク装置１０１及びユーザ装置１０２、１０３を含み、ユーザ装置１０２、１０３は実施例１６に記載のユーザ装置と同じあり、ネットワーク装置１０１は実施例１７に記載のネットワーク装置と同じであり、そのため、ここでは重複内容が省略される。
【０２６９】
上述の実施例から分かるように、ユーザ装置がネットワーク装置にサイドリンクフィードバック情報を送信することで、サイドリンク伝送のフィードバックメカニズムを提供し、サイドリンクのデータ伝送の信頼性を向上させることができる。
【０２７０】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０２７１】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切なグループむ合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０２７２】
以上、本発明の好ましい実施形態を説明したが、本発明はこのような実施形態に限定されず、本発明の趣旨を離脱しない限り、本発明に対するあらゆる変更は本発明の技術的範囲に属する。
【０２７３】
また、上述の実施例などに関し、さらに以下の付記を開示する。
【０２７４】
（付記１）
第一ユーザ装置側又は第二ユーザ装置側に設定されるフィードバック情報の伝送装置であって、
第一ユーザ装置がサイドリンクフィードバック情報を受信するために用いられる第一受信ユニット、又は、第二ユーザ装置がリンクフィードバック情報を生成するために用いられる生成ユニット；及び
ネットワーク装置に前記サイドリンクフィードバック情報を送信する第一送信ユニットを含み、
前記サイドリンクフィードバック情報は前記第一ユーザ装置から前記第二ユーザ装置へのサイドリンク伝送のフィードバック情報である、装置。
【０２７５】
（付記２）
付記１に記載の装置であって、
前記装置は第二ユーザ装置側に設置され、前記装置は、さらに、
第一ユーザ装置又はネットワーク装置から、フィードバック情報の送信に関連する指示情報を受信する第二受信ユニットを含み
前記第一送信ユニットは前記フィードバック情報の送信に関連する指示情報に基づいて、ネットワーク装置に、前記第一ユーザ装置から前記第二ユーザ装置へのサイドリンク伝送のフィードバック情報を送信する、装置。
【０２７６】
（付記３）
付記２に記載の装置であって、
前記フィードバック情報の送信に関連する指示情報は、前記サイドリンク伝送のフィードバック情報を送信する時間及び／又は前記サイドリンク伝送のフィードバック情報を送信するに使用するリソースを含む、装置。
【０２７７】
（付記４）
付記２に記載の装置であって、
前記第一送信ユニットが前記サイドリンク伝送のフィードバック情報を送信する時間は、前記フィードバック情報の送信に関連する指示情報に含まれ、あるいは、事前定義又は事前設定され、
前記サイドリンク伝送のフィードバック情報を送信する時間は、
第一ユーザ装置又はネットワーク装置から受信する、前記フィードバック情報の送信に関連する指示情報をキャリーする物理下りリンク制御チャネル（ＰＤＣＣＨ）の最後の１つのシンボル又は前記物理下りリンク制御チャネルの所在するスロットの最後の１つのシンボルの後の第一時間；又は
第一ユーザ装置から受信するサイドリンク伝送のデータをキャリーする物理サイドリンク共有チャネル（ＰＳＳＣＨ）の最後の１つのシンボル又は前記物理サイドリンク共有チャネルの所在するスロットの最後の１つのシンボルの後の第二時間である、装置。
【０２７８】
（付記５）
付記２に記載の装置であって、
前記フィードバック情報の送信に関連する指示情報は制御シグナリングにより送信される、装置。
【０２７９】
（付記６）
付記５に記載の装置であって、
前記第二受信ユニットが第一ユーザ装置からフィードバック情報の送信に関連する指示情報を受信する場合、前記制御シグナリングは物理サイドリンク制御チャネル（ＰＳＣＣＨ）によりキャリー（ｃａｒｒｙ）され；及び／又は
前記第二受信ユニットがネットワーク装置からフィードバック情報の送信に関連する指示情報を受信する場合、前記制御シグナリングは物理下りリンク制御チャネル（ＰＤＣＣＨ）によりキャリー（ｃａｒｒｙ）される、装置。
【０２８０】
（付記７）
付記６に記載の装置であって、
前記物理下りリンク制御チャネルでは、スケジューリングに関連するフィールドが無効と設定され、フィードバックに関連するフィールドが有効と設定される、装置。
【０２８１】
（付記８）
付記１に記載の装置であって、
前記装置は第一ユーザ装置側に設定され、前記装置は、さらに、
ネットワーク装置からフィードバック情報の送信に関連する指示情報を受信する第三受信ユニットを含み、
前記第一受信ユニットは第二ユーザ装置から、前記第一ユーザ装置から前記第二ユーザ装置へのサイドリンク伝送のフィードバック情報を受信し、
前記第一送信ユニットは、前記第三受信ユニットが受信する前記フィードバック情報の送信に関連する指示情報に基づいて、ネットワーク装置に、前記第一ユーザ装置から前記第二ユーザ装置へのサイドリンク伝送のフィードバック情報を送信する、装置。
【０２８２】
（付記９）
付記８に記載の装置であって、
前記ネットワーク装置からフィードバック情報の送信に関連する指示情報を受信することは、
物理下りリンク制御チャネル（ＰＤＣＣＨ）により前記フィードバック情報の送信に関連する指示情報を受信することを含む、装置。
【０２８３】
（付記１０）
付記８に記載の装置であって、
前記フィードバック情報の送信に関連する指示情報は、前記サイドリンク伝送のフィードバック情報を送信する時間及び／又は前記サイドリンク伝送のフィードバック情報を送信するに使用するリソースを含む、装置。
【０２８４】
（付記１１）
付記１０に記載の装置であって、
前記サイドリンク伝送のフィードバック情報を送信する時間は、
前記第三受信ユニットがネットワーク装置から受信する、前記フィードバック情報の送信に関連する指示情報をキャリーするＰＤＣＣＨの最後の１つのシンボル又は前記ＰＤＣＣＨの所在するスロットの最後の１つのシンボルの後の第三時間；又は
前記第二ユーザ装置に送信するサイドリンク伝送のデータをキャリーするＰＳＳＣＨの最後の１つのシンボル又は前記ＰＳＳＣＨの所在するスロットの最後の１つのシンボルの後の第四時間である、装置。
【０２８５】
（付記１２）
第一ユーザ装置側に設置されるフィードバック情報の伝送装置であって、
ネットワーク装置からフィードバック情報の送信に関連する指示情報を受信する第四受信ユニット；及び
前記フィードバック情報の送信に関連する指示情報を第二ユーザ装置に転送する第二送信ユニットを含み、
前記第一ユーザ装置は前記第二ユーザ装置に対してサイドリンク伝送を行う、装置。
【０２８６】
（付記１３）
付記１２に記載の装置であって、
前記第二送信ユニットは物理サイドリンク制御チャネル（ＰＳＣＣＨ）により前記第二ユーザ装置に前記フィードバック情報の送信に関連する指示情報を送信する、装置。
【０２８７】
（付記１４）
付記１２に記載の装置であって、
前記第四受信ユニットは物理下りリンク制御チャネル（ＰＤＣＣＨ）により前記フィードバック情報の送信に関連する指示情報を受信する、装置。
【０２８８】
（付記１５）
第二ユーザ装置側に設置されるフィードバック情報の伝送装置であって、
第一ユーザ装置に、前記第一ユーザ装置から第二ユーザ装置へのサイドリンク伝送のフィードバック情報を送信する第三送信ユニットを含む、装置。
【０２８９】
（付記１６）
ユーザ装置側に設置されるフィードバック情報の伝送装置であって、
ネットワーク装置に、前記ユーザ装置からもう１つのユーザ装置へのサイドリンク伝送のフィードバック情報、及び前記ユーザ装置と前記ネットワーク装置との間の下りリンク伝送のフィードバック情報を送信する第四送信ユニットを含む、装置。
【０２９０】
（付記１７）
付記１６に記載の装置であって、
前記サイドリンク伝送のフィードバック情報及び前記下りリンク伝送のフィードバック情報は同じである又は異なるリソース上で送信される、装置。
【０２９１】
（付記１８）
付記１７に記載の装置であって、
前記サイドリンク伝送のフィードバック情報はサイドリンク伝送をスケジューリングする第一物理下りリンク制御チャネルにおいて指示される第一リソースにより送信され、
前記下りリンク伝送のフィードバック情報は下りリンク伝送をスケジューリングする第二物理下りリンク制御チャネルにおいて指示される第二リソースにより送信され、
前記第一リソース及び前記第二リソースは同じであり又は異なる、装置。
【０２９２】
（付記１９）
付記１６に記載の装置であって、
前記第四送信ユニットは、前記ネットワーク装置に、前記サイドリンク伝送のフィードバック情報及び前記下りリンク伝送のフィードバック情報の合併後のフィードバック情報を送信する、装置。
【０２９３】
（付記２０）
付記１９に記載の装置であって、
前記合併後のフィードバック情報は、
先に前記下りリンク伝送のキャリア及びサイドリンク伝送のキャリアの所定順序に従って、次に各送信タイミングの順序に従って、フィードバック結果に対して並び替え及びカスケード接続を行った後に形成されるフィードバックコードワードであって、前記所定順序は、前記下りリンク伝送のキャリアが前にあり且つ前記サイドリンク伝送のキャリアが後にあり、又は、前記サイドリンク伝送のキャリアが前にあり且つ前記下りリンク伝送のキャリアが後にあるという順序である、もの；又は
先に前記下りリンク伝送のキャリアの順序に従って、次に各送信タイミングの順序に従って、フィードバック結果に対して並び替え及びカスケード接続を行った後に形成される第一フィードバックコードワードと、先に前記サイドリンク伝送のキャリアの順序に従って、次に各送信タイミングの順序に従って、フィードバック結果に対して並び替え及びカスケード接続を行った後に形成される第二フィードバックコードワードとに対して再びカスケード接続を行った後に形成されるフィードバックコードワードであって、前記第一フィードバックコードワードは前記第二フィードバックコードワードの前にあり、又は、前記第一フィードバックコードワードは前記第二フィードバックコードワードの後にある、ものを含む、装置。
【０２９４】
（付記２１）
第一ユーザ装置側に設置されるフィードバック情報の伝送装置であって、
ネットワーク装置からフィードバック情報の送信に関連する指示情報を受信する第五受信ユニット；
１組に属する少なくとも２つの第二ユーザ装置から、それぞれ、前記第一ユーザ装置から前記少なくとも２つの第二ユーザ装置へのサイドリンク伝送のフィードバック情報を受信する第六受信ユニット；及び
前記フィードバック情報の送信に関連する指示情報、及び前記第一ユーザ装置から前記少なくとも２つの第二ユーザ装置へのサイドリンク伝送のフィードバック情報に基づいて、ネットワーク装置にサイドリンク伝送のフィードバック情報を送信する第五送信ユニットを含む、装置。
【０２９５】
（付記２２）
付記２１に記載の装置であって、
前記第五受信ユニットは物理下りリンク制御チャネル（ＰＤＣＣＨ）により前記フィードバック情報の送信に関連する指示情報を受信する、装置。
【０２９６】
（付記２３）
付記２１に記載の装置であって、
前記フィードバック情報の送信に関連する指示情報は、前記サイドリンク伝送のフィードバック情報を送信する時間及び／又は前記サイドリンク伝送のフィードバック情報を送信するに使用するリソースを含む、装置。
【０２９７】
（付記２４）
付記２３に記載の装置であって、
前記第五送信ユニットが前記サイドリンク伝送のフィードバック情報を送信する時間は、
前記第五受信ユニットがネットワーク装置から受信する、前記フィードバック情報の送信に関連する指示情報をキャリーするＰＤＣＣＨの最後の１つのシンボル又は前記ＰＤＣＣＨの所在するスロットの最後の１つのシンボルの後の第三時間；又は
前記少なくとも２つの第二ユーザ装置に送信するサイドリンク伝送のデータをキャリーするＰＳＳＣＨの最後の１つのシンボル又は前記ＰＳＳＣＨの所在するスロットの最後の１つのシンボルの後の第四時間である、装置。
【０２９８】
（付記２５）
付記２１に記載の装置であって、
前記第五送信ユニットがネットワーク装置に送信する前記サイドリンク伝送のフィードバック情報は、
前記少なくとも２つの第二ユーザ装置からそれぞれ受信する、前記第一ユーザ装置から前記少なくとも２つの第二ユーザ装置へのサイドリンク伝送の少なくとも２つのフィードバックコードワードのカスケード接続後のフィードバックコードワード；又は
先に前記第一ユーザ装置から前記少なくとも２つの第二ユーザ装置へのサイドリンク伝送のキャリアの所定順序に従って、次に各送信タイミングの順序に従って、フィードバック結果に対してカスケード接続を行った後に形成されるフィードバックコードワードであって、前記所定順序は前記少なくとも２つの第二ユーザ装置の順番号に従って行う並び替え順序である、ものを含む、装置。
【０２９９】
（付記２６）
付記２１に記載の装置であって、
前記第五送信ユニットは前記第一ユーザ装置から前記少なくとも２つの第二ユーザ装置へのサイドリンク伝送のフィードバック情報に対して総合処理を行い、前記第一ユーザ装置から前記少なくとも２つの第二ユーザ装置へのサイドリンク伝送の全体フィードバック情報を取得し、前記全体フィードバック情報を前記ネットワーク装置に送信する、装置。
【０３００】
（付記２７）
付記２６に記載の装置であって、
前記総合処理は論理“ＡＮＤ”演算プロセスである、装置。
【０３０１】
（付記２８）
付記２１に記載の装置であって、
前記第五送信ユニットはさらに、前記ネットワーク装置に、前記第一ユーザ装置と前記ネットワーク装置との間の下りリンク伝送のフィードバック情報を送信する、装置。
【０３０２】
（付記２９）
付記２８に記載の装置であって、
前記サイドリンク伝送のフィードバック情報及び前記下りリンク伝送のフィードバック情報は同じである又は異なるリソース上で送信される、装置。
【０３０３】
（付記３０）
付記２８に記載の装置であって、
前記第五送信ユニットは、前記ネットワーク装置に、前記サイドリンク伝送のフィードバック情報及び前記下りリンク伝送のフィードバック情報の合併後のフィードバック情報を送信する、装置。
【０３０４】
（付記３１）
ネットワーク装置側に設置されるフィードバック情報の伝送装置であって、
第一ユーザ装置又は第二ユーザ装置に、フィードバック情報の送信に関連する指示情報を送信する第六送信ユニット；及び
前記第二ユーザ装置又は前記第一ユーザ装置から、前記第一ユーザ装置から前記第二ユーザ装置へのサイドリンク伝送のフィードバック情報を受信する第七受信ユニットを含む、装置。
【０３０５】
（付記３２）
付記３１に記載の装置であって、
前記第六送信ユニットは物理下りリンク制御チャネル（ＰＤＣＣＨ）により前記フィードバック情報の送信に関連する指示情報を送信する、装置。
【０３０６】
（付記３３）
付記３１に記載の装置であって、
前記第六送信ユニットは前記第二ユーザ装置に第二物理下りリンク制御チャネルを送信し、前記第二物理下りリンク制御チャネルでは、スケジューリングに関連するフィールド被置が無効と設定され、フィードバックに関連するフィールド被置が有効と設定され、
前記装置はさらに、
第一ユーザ装置に第一物理下りリンク制御チャネルを送信する第七送信ユニットを含み、
前記第一物理下りリンク制御チャネルでは、スケジューリングに関連するフィールド被置が有効と設定され、フィードバックに関連するフィールドが無効と設定される、装置。
【０３０７】
（付記３４）
ネットワーク装置側に設置されるフィードバック情報の伝送装置であって、
第一ユーザ装置にフィードバック情報の送信に関連する指示情報を送信する第八送信ユニット；及び
前記第一ユーザ装置から前記第一ユーザ装置から１組に属する少なくとも２つの第二ユーザ装置へのサイドリンク伝送のフィードバック情報を受信する第八受信ユニットを含む、装置。
【０３０８】
（付記３５）
付記３４に記載の装置であって、さらに、
受信する、前記第一ユーザ装置から前記少なくとも２つの第二ユーザ装置へのサイドリンク伝送のフィードバック情報に対して総合処理を行い、前記第一ユーザ装置から前記少なくとも２つの第二ユーザ装置へのサイドリンク伝送の全体フィードバック情報を取得する処理ユニットを含む、装置。
【０３０９】
（付記３６）
付記３４に記載の装置であって、
前記第一ユーザ装置から受信する前記サイドリンク伝送のフィードバック情報は、前記第一ユーザ装置から前記少なくとも２つの第二ユーザ装置へのサイドリンク伝送のフィードバック情報に対して総合処理を行った後に得た全体フィードバック情報である、装置。
【０３１０】
（付記３７）
付記１−３０のうちの任意の一項に記載の装置を含む、ユーザ装置。
【０３１１】
（付記３８）
付記３１−３６のうちの任意の一項に記載の装置を含む、ネットワーク装置。
【０３１２】
（付記３９）
付記３７に記載のユーザ装置及び付記３８に記載のネットワーク装置を含む、信システム。
【０３１３】
（付記４０）
第一ユーザ装置側又は第二ユーザ装置側に応用されるフィードバック情報の伝送方法であって、
第一ユーザ装置がサイドリンクフィードバック情報を受信し、又は、第二ユーザ装置がサイドリンクフィードバック情報を生成し；及び
ネットワーク装置に前記サイドリンクフィードバック情報を送信することを含み、
前記サイドリンクフィードバック情報は前記第一ユーザ装置から前記第二ユーザ装置へのサイドリンク伝送のフィードバック情報である、方法。
【０３１４】
（付記４１）
付記４０に記載の方法であって、
前記方法は第二ユーザ装置側に応用され、前記方法はさらに、
第一ユーザ装置又はネットワーク装置から、フィードバック情報の送信に関連する指示情報を受信することを含み、
前記ネットワーク装置に、前記第一ユーザ装置から前記第二ユーザ装置へのサイドリンク伝送のフィードバック情報を送信することは、
前記フィードバック情報の送信に関連する指示情報に基づいて、ネットワーク装置に、前記第一ユーザ装置から前記第二ユーザ装置へのサイドリンク伝送のフィードバック情報を送信することを含む、方法。
【０３１５】
（付記４２）
付記４１に記載の方法であって、
前記フィードバック情報の送信に関連する指示情報は、前記サイドリンク伝送のフィードバック情報を送信する時間及び／又は前記サイドリンク伝送のフィードバック情報を送信するに使用するリソースを含む、方法。
【０３１６】
（付記４３）
付記４１に記載の方法であって、
前記サイドリンク伝送のフィードバック情報を送信する時間は前記フィードバック情報の送信に関連する指示情報に含まれ、あるいは、事前定義又は事前設定され、
前記サイドリンク伝送のフィードバック情報を送信する時間は、
第一ユーザ装置又はネットワーク装置から受信する、前記フィードバック情報の送信に関連する指示情報をキャリーする物理下りリンク制御チャネル（ＰＤＣＣＨ）の最後の１つのシンボル又は前記物理下りリンク制御チャネルの所在するスロットの最後の１つのシンボルの後の第一時間；又は
第一ユーザ装置から受信するサイドリンク伝送のデータをキャリーする物理サイドリンク共有チャネル（ＰＳＳＣＨ）の最後の１つのシンボル又は前記物理サイドリンク共有チャネルの所在するスロットの最後の１つのシンボルの後の第二時間である、方法。
【０３１７】
（付記４４）
付記４１に記載の方法であって、
前記フィードバック情報の送信に関連する指示情報は制御シグナリングにより送信される、方法。
【０３１８】
（付記４５）
付記４４に記載の方法であって、
第一ユーザ装置からフィードバック情報の送信に関連する指示情報を受信する場合、前記制御シグナリングは物理サイドリンク制御チャネル（ＰＳＣＣＨ）によりキャリー（ｃａｒｒｙ）され；及び／又は
ネットワーク装置からフィードバック情報の送信に関連する指示情報を受信する場合、前記制御シグナリングは物理下りリンク制御チャネル（ＰＤＣＣＨ）によりキャリー（ｃａｒｒｙ）される、方法。
【０３１９】
（付記４６）
付記４５に記載の方法であって、
前記物理下りリンク制御チャネルでは、スケジューリングに関連するフィールドが無効と設定され、フィードバックに関連するフィールドが有効と設定される、方法。
【０３２０】
（付記４７）
付記４０に記載の方法であって、
前記方法は第一ユーザ装置側に応用され、前記方法は、さらに、
ネットワーク装置からフィードバック情報の送信に関連する指示情報を受信することを含み、
前記サイドリンクフィードバック情報を受信することは、
第二ユーザ装置から、前記第一ユーザ装置から前記第二ユーザ装置へのサイドリンク伝送のフィードバック情報を受信することを含み、
前記ネットワーク装置に、前記第一ユーザ装置から前記第二ユーザ装置へのサイドリンク伝送のフィードバック情報を送信することは、
受信する、前記フィードバック情報の送信に関連する指示情報に基づいて、ネットワーク装置に、前記第一ユーザ装置から前記第二ユーザ装置へのサイドリンク伝送のフィードバック情報を送信することを含む、方法。
【０３２１】
（付記４８）
付記４７に記載の方法であって、
前記ネットワーク装置からフィードバック情報の送信に関連する指示情報を受信することは、
物理下りリンク制御チャネル（ＰＤＣＣＨ）により前記フィードバック情報の送信に関連する指示情報を受信することを含む、方法。
【０３２２】
（付記４９）
付記４７に記載の方法であって、
前記フィードバック情報の送信に関連する指示情報は、前記サイドリンク伝送のフィードバック情報を送信する時間及び／又は前記サイドリンク伝送のフィードバック情報を送信するに使用するリソースを含む、方法。
【０３２３】
（付記５０）
付記４９に記載の方法であって、
前記サイドリンク伝送のフィードバック情報を送信する時間は、
ネットワーク装置から受信する、前記フィードバック情報の送信に関連する指示情報をキャリーするＰＤＣＣＨの最後の１つのシンボル又は前記ＰＤＣＣＨの所在するスロットの最後の１つのシンボルの後の第三時間；又は
前記第二ユーザ装置に送信するサイドリンク伝送のデータをキャリーするＰＳＳＣＨの最後の１つのシンボル又は前記ＰＳＳＣＨの所在するスロットの最後の１つのシンボルの後の第四時間である、方法。
【０３２４】
（付記５１）
第一ユーザ装置側に応用されるフィードバック情報の伝送方法であって、
ネットワーク装置からフィードバック情報の送信に関連する指示情報を受信し；及び
前記フィードバック情報の送信に関連する指示情報を第二ユーザ装置に転送することを含み、
前記第一ユーザ装置は前記第二ユーザ装置に対してサイドリンク伝送を行う、方法。
【０３２５】
（付記５２）
付記５１に記載の方法であって、
前記フィードバック情報の送信に関連する指示情報を第二ユーザ装置に転送することは、
物理サイドリンク制御チャネル（ＰＳＣＣＨ）により前記第二ユーザ装置に前記フィードバック情報の送信に関連する指示情報を送信することを含む、方法。
【０３２６】
（付記５３）
付記５１に記載の方法であって、
前記ネットワーク装置からフィードバック情報の送信に関連する指示情報を受信することは、
物理下りリンク制御チャネル（ＰＤＣＣＨ）により前記フィードバック情報の送信に関連する指示情報を受信することを含む、方法。
【０３２７】
（付記５４）
第二ユーザ装置側に応用されるフィードバック情報の伝送方法であって、
第一ユーザ装置に、前記第一ユーザ装置から第二ユーザ装置へのサイドリンク伝送のフィードバック情報を送信することを含む、方法。
【０３２８】
（付記５５）
ユーザ装置側に応用されるフィードバック情報の伝送方法であって、
ネットワーク装置に、前記ユーザ装置からもう１つのユーザ装置へのサイドリンク伝送のフィードバック情報、及び前記ユーザ装置と前記ネットワーク装置との間の下りリンク伝送のフィードバック情報を送信することを含む、方法。
【０３２９】
（付記５６）
付記５５に記載の方法であって、
前記サイドリンク伝送のフィードバック情報及び前記下りリンク伝送のフィードバック情報は同じである又は異なるリソース上で送信される、方法。
【０３３０】
（付記５７）
付記５６に記載の方法であって、
前記サイドリンク伝送のフィードバック情報は、サイドリンク伝送をスケジューリングする第一物理下りリンク制御チャネルにおいて指示される第一リソースにより送信され、
前記下りリンク伝送のフィードバック情報は下りリンク伝送をスケジューリングする第二物理下りリンク制御チャネルにおいて指示される第二リソースにより送信され、
前記第一リソース及び前記第二リソースは同じであり又は異なる、方法。
【０３３１】
（付記５８）
付記５５に記載の方法であって、
前記ネットワーク装置に、前記サイドリンク伝送のフィードバック情報及び前記下りリンク伝送のフィードバック情報の合併後のフィードバック情報を送信することを含む、方法。
【０３３２】
（付記５９）
付記５８に記載の方法であって、
前記合併後のフィードバック情報は、
先に前記下りリンク伝送のキャリア及びサイドリンク伝送のキャリアの所定順序に従って、次に各送信タイミングの順序に従って、フィードバック結果に対して並び替え及びカスケード接続を行った後に形成されるフィードバックコードワードであって、前記所定順序は、前記下りリンク伝送のキャリアが前にあり且つ前記サイドリンク伝送のキャリアが後にあり、又は、前記サイドリンク伝送のキャリアが前にあり且つ前記下りリンク伝送のキャリアが後にあるというものである、もの；又は
先に前記下りリンク伝送のキャリアの順序に従って、次に各送信タイミングの順序に従って、フィードバック結果に対して並び替え及びカスケード接続を行った後に形成される第一フィードバックコードワードと、先に前記サイドリンク伝送のキャリアの順序に従って、次に各送信タイミングの順序に従って、フィードバック結果に対して並び替え及びカスケード接続を行った後に形成される第二フィードバックコードワードとに対して再びカスケード接続を行った後に形成されるフィードバックコードワードであって、前記第一フィードバックコードワードは前記第二フィードバックコードワードの前にあり、又は、前記第一フィードバックコードワードは前記第二フィードバックコードワードの後にある、ものを含む、方法。
【０３３３】
（付記６０）
第一ユーザ装置側に応用されるフィードバック情報の伝送方法であって、
ネットワーク装置からフィードバック情報の送信に関連する指示情報を受信し；
１組に属する少なくとも２つの第二ユーザ装置から、それぞれ、前記第一ユーザ装置から前記少なくとも２つの第二ユーザ装置へのサイドリンク伝送のフィードバック情報を受信し；及び
前記フィードバック情報の送信に関連する指示情報及び前記第一ユーザ装置から前記少なくとも２つの第二ユーザ装置へのサイドリンク伝送のフィードバック情報に基づいて、ネットワーク装置にサイドリンク伝送のフィードバック情報を送信することを含む、方法。
【０３３４】
（付記６１）
付記６０に記載の方法であって、
前記ネットワーク装置からフィードバック情報の送信に関連する指示情報を受信することは、
物理下りリンク制御チャネル（ＰＤＣＣＨ）により前記フィードバック情報の送信に関連する指示情報を受信することを含む、方法。
【０３３５】
（付記６２）
付記６０に記載の方法であって、
前記フィードバック情報の送信に関連する指示情報は、前記サイドリンク伝送のフィードバック情報を送信する時間及び／又は前記サイドリンク伝送のフィードバック情報を送信するに使用するリソースを含む、方法。
【０３３６】
（付記６３）
付記６２に記載の方法であって、
前記サイドリンク伝送のフィードバック情報を送信する時間は、
ネットワーク装置から受信する、前記フィードバック情報の送信に関連する指示情報をキャリーするＰＤＣＣＨの最後の１つのシンボル又は前記ＰＤＣＣＨの所在するスロットの最後の１つのシンボルの後の第三時間；又は
前記少なくとも２つの第二ユーザ装置に送信するサイドリンク伝送のデータをキャリーするＰＳＳＣＨの最後の１つのシンボル又は前記ＰＳＳＣＨの所在するスロットの最後の１つのシンボルの後の第四時間である、方法。
【０３３７】
（付記６４）
付記６０に記載の方法であって、
ネットワーク装置に送信する前記サイドリンク伝送のフィードバック情報は、
前記少なくとも２つの第二ユーザ装置からそれぞれ受信する、前記第一ユーザ装置から前記少なくとも２つの第二ユーザ装置へのサイドリンク伝送の少なくとも２つのフィードバックコードワードのカスケード接続後のフィードバックコードワード；又は
先に前記第一ユーザ装置から前記少なくとも２つの第二ユーザ装置へのサイドリンク伝送のキャリアの所定順序に従って、次に各送信タイミングの順序に従って、フィードバック結果に対してカスケード接続を行った後に形成されるフィードバックコードワードであって、前記所定順序は前記少なくとも２つの第二ユーザ装置の順番号に従って行う並び替え順序である、ものを含む、方法。
【０３３８】
（付記６５）
付記６０に記載の方法であって、
前記前記フィードバック情報の送信に関連する指示情報及び前記第一ユーザ装置から前記少なくとも２つの第二ユーザ装置へのサイドリンク伝送のフィードバック情報に基づいて、ネットワーク装置にサイドリンク伝送のフィードバック情報を送信することは、
前記第一ユーザ装置から前記少なくとも２つの第二ユーザ装置へのサイドリンク伝送のフィードバック情報に対して総合処理を行い、前記第一ユーザ装置から前記少なくとも２つの第二ユーザ装置へのサイドリンク伝送の全体フィードバック情報を取得し；及び
前記全体フィードバック情報を前記ネットワーク装置に送信することを含む、方法。
【０３３９】
（付記６６）
付記６５に記載の方法であって、
前記総合処理は論理“ＡＮＤ”演算プロセスである、方法。
【０３４０】
（付記６７）
付記６０に記載の方法であって、さらに、
前記ネットワーク装置に、前記第一ユーザ装置と前記ネットワーク装置との間の下りリンク伝送のフィードバック情報を送信することを含む、方法。
【０３４１】
（付記６８）
付記６７に記載の方法であって、
前記サイドリンク伝送のフィードバック情報及び前記下りリンク伝送のフィードバック情報は同じである又は異なるリソース上で送信される、方法。
【０３４２】
（付記６９）
付記６７に記載の方法であって、
前記ネットワーク装置に、前記サイドリンク伝送のフィードバック情報及び前記下りリンク伝送のフィードバック情報の合併後のフィードバック情報を送信することを含む、方法。
【０３４３】
（付記７０）
ネットワーク装置側に応用されるフィードバック情報の伝送方法であって、
第一ユーザ装置又は第二ユーザ装置にフィードバック情報の送信に関連する指示情報を送信し；及び
前記第二ユーザ装置又は前記第一ユーザ装置から、前記第一ユーザ装置から前記第二ユーザ装置へのサイドリンク伝送のフィードバック情報を受信することを含む、方法。
【０３４４】
（付記７１）
付記７０に記載の方法であって、
前記第一ユーザ装置又は第二ユーザ装置にフィードバック情報の送信に関連する指示情報を送信することは、
物理下りリンク制御チャネル（ＰＤＣＣＨ）により前記フィードバック情報の送信に関連する指示情報を送信することを含む、方法。
【０３４５】
（付記７２）
付記７０に記載の方法であって、
前記第二ユーザ装置に第二物理下りリンク制御チャネルを送信し、前記第二物理下りリンク制御チャネルでは、スケジューリングに関連するフィールド被置が無効と設定され、フィードバックに関連するフィールド被置が有効と設定され、
前記方法は、さらに、
第一ユーザ装置に第一物理下りリンク制御チャネルを送信し、前記第一物理下りリンク制御チャネルでは、スケジューリングに関連するフィールド被置が有効と設定され、フィードバックに関連するフィールドが無効と設定される、方法。
【０３４６】
（付記７３）
ネットワーク装置側に応用されるフィードバック情報の伝送方法であって、
第一ユーザ装置にフィードバック情報の送信に関連する指示情報を送信し；及び
前記第一ユーザ装置から、前記第一ユーザ装置から１組に属する少なくとも２つの第二ユーザ装置へのサイドリンク伝送のフィードバック情報を受信することを含む、方法。
【０３４７】
（付記７４）
付記７３に記載の方法であって、さらに、
受信する、前記第一ユーザ装置から前記少なくとも２つの第二ユーザ装置へのサイドリンク伝送のフィードバック情報に対して総合処理を行い、前記第一ユーザ装置から前記少なくとも２つの第二ユーザ装置へのサイドリンク伝送の全体フィードバック情報を取得することを含む、方法。
【０３４８】
（付記７５）
付記７３に記載の方法であって、
前記第一ユーザ装置から受信する前記サイドリンク伝送のフィードバック情報は、前記第一ユーザ装置から前記少なくとも２つの第二ユーザ装置へのサイドリンク伝送のフィードバック情報に対して総合処理を行った後に得た全体フィードバック情報である、方法。
【図１】
2021536181.tif 000003
【図２】
2021536181.tif 000004
【図３】
2021536181.tif 000005
【図４】
2021536181.tif 000006
【図５】
2021536181.tif 000007
【図６】
2021536181.tif 000008
【図７】
2021536181.tif 000009
【図８】
2021536181.tif 000010
【図９】
2021536181.tif 000011
【図１０】
2021536181.tif 000012
【図１１】
2021536181.tif 000013
【図１２】
2021536181.tif 000014
【図１３】
2021536181.tif 000015
【図１４】
2021536181.tif 000016
【図１５】
2021536181.tif 000017
【図１６】
2021536181.tif 000018
【図１７】
2021536181.tif 000019
【図１８】
2021536181.tif 000020
【図１９】
2021536181.tif 000021
【図２０】
2021536181.tif 000022
【図２１】
2021536181.tif 000023
【図２２】
2021536181.tif 000024
【図２３】
2021536181.tif 000025
【図２４】
2021536181.tif 000026
【図２５】
2021536181.tif 000027
【図２６】
2021536181.tif 000028
【図２７】
2021536181.tif 000029
【図２８】
2021536181.tif 000030
【図２９】
2021536181.tif 000031
【図３０】
2021536181.tif 000032
【図３１】
2021536181.tif 000033
【図３２】
2021536181.tif 000034
【図３３】
2021536181.tif 000035
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
第一ユーザ装置側に設置されるフィードバック情報の伝送装置であって、
ネットワーク装置からフィードバック情報の送信に関連する指示情報を受信する第五受信ユニット；
１組に属する少なくとも２つの第二ユーザ装置から、それぞれ、前記第一ユーザ装置から前記少なくとも２つの第二ユーザ装置へのサイドリンク伝送のフィードバック情報を受信する第六受信ユニット；及び
前記フィードバック情報の送信に関連する指示情報及び前記第一ユーザ装置から前記少なくとも２つの第二ユーザ装置へのサイドリンク伝送のフィードバック情報に基づいて、ネットワーク装置にサイドリンク伝送のフィードバック情報を送信する第五送信ユニットを含む、伝送装置。
【請求項２】
請求項１に記載の伝送装置であって、
前記第五送信ユニットは、前記第一ユーザ装置から前記少なくとも２つの第二ユーザ装置へのサイドリンク伝送のフィードバック情報に基づいて、前記第一ユーザ装置から前記少なくとも２つの第二ユーザ装置へのサイドリンク伝送の全体フィードバック情報を確定し、前記全体フィードバック情報を前記ネットワーク装置に送信する、伝送装置。
【請求項３】
請求項２に記載の伝送装置であって、
前記第五送信ユニットは、前記第一ユーザ装置から前記少なくとも２つの第二ユーザ装置へのサイドリンク伝送のフィードバック情報に対して論理“ＡＮＤ”演算プロセスを行い、前記全体フィードバック情報を得る、伝送装置。
【請求項４】
請求項３に記載の伝送装置であって、
前記第一ユーザ装置から前記少なくとも２つの第二ユーザ装置へのサイドリンク伝送のフィードバック情報がすべて“１”であるときに、前記第五送信ユニットは前記全体フィードバック情報を“１”と確定し、
前記第一ユーザ装置から前記少なくとも２つの第二ユーザ装置へのサイドリンク伝送のフィードバック情報に少なくとも１つの“０”が含まれるときに、前記第五送信ユニットは前記全体フィードバック情報を“０”と確定し、
“１”はＡＣＫを示し、“０”はＮＡＣＫを示す、伝送装置。
【請求項５】
ネットワーク装置側に設置されるフィードバック情報の伝送装置であって、
第一ユーザ装置にフィードバック情報の送信に関連する指示情報を送信する第八送信ユニット；及び
前記第一ユーザ装置から前記第一ユーザ装置から１組に属する少なくとも２つの第二ユーザ装置へのサイドリンク伝送のフィードバック情報を受信する第八受信ユニットを含む、伝送装置。
【請求項６】
請求項５に記載の伝送装置であって、
前記第八受信ユニットは前記第一ユーザ装置から前記少なくとも２つの第二ユーザ装置へのサイドリンク伝送の全体フィードバック情報を受信する、伝送装置。
【請求項７】
請求項５に記載の伝送装置であって、
前記第一ユーザ装置から受信する前記サイドリンク伝送のフィードバック情報は、前記第一ユーザ装置から前記少なくとも２つの第二ユーザ装置へのサイドリンク伝送のフィードバック情報に基づいて確定される全体フィードバック情報である、伝送装置。
【請求項８】
請求項７に記載の伝送装置であって、
前記全体フィードバック情報がＮＡＣＫを示すときに、再びリソースをスケジューリングして、前記第一ユーザ装置が前記第二ユーザ装置に対して再送信を行うようにさせる再送信ユニットをさらに含む、伝送装置。
【請求項９】
ユーザ装置側に設置されるフィードバック情報の伝送装置であって、
ネットワーク装置に、前記ユーザ装置からもう１つのユーザ装置へのサイドリンク伝送のフィードバック情報、及び前記ユーザ装置と前記ネットワーク装置との間の下りリンク伝送のフィードバック情報を送信する第四送信ユニットを含む、伝送装置。
【請求項１０】
請求項９に記載の伝送装置であって、
前記サイドリンク伝送のフィードバック情報及び前記下りリンク伝送のフィードバック情報は同じである又は異なるリソース上で送信される、伝送装置。
【請求項１１】
請求項１０に記載の伝送装置であって、
前記サイドリンク伝送のフィードバック情報は、サイドリンク伝送をスケジューリングする第一物理下りリンク制御チャネルにおいて指示される第一リソースにより送信され、
前記下りリンク伝送のフィードバック情報は下りリンク伝送をスケジューリングする第二物理下りリンク制御チャネルにおいて指示される第二リソースにより送信され、
前記第一リソース及び前記第二リソースは同じであり又は異なる、伝送装置。
【請求項１２】
請求項９に記載の伝送装置であって、
前記第四送信ユニットは、前記ネットワーク装置に、前記サイドリンク伝送のフィードバック情報及び前記下りリンク伝送のフィードバック情報の合併後のフィードバック情報を送信する、伝送装置。
【請求項１３】
請求項１２に記載の伝送装置であって、
前記合併後のフィードバック情報は、
先に前記下りリンク伝送のキャリア及びサイドリンク伝送のキャリアの所定順序に従って、次に各送信タイミングの順序に従って、フィードバック結果に対して並び替え及びカスケード接続を行った後に形成されるフィードバックコードワードであって、前記所定順序は、前記下りリンク伝送のキャリアが前にあり且つ前記サイドリンク伝送のキャリアが後にあり、又は、前記サイドリンク伝送のキャリアが前にあり且つ前記下りリンク伝送のキャリアが後にあるという順序である、もの；又は
先に前記下りリンク伝送のキャリアの順序に従って、次に各送信タイミングの順序に従って、フィードバック結果に対して並び替え及びカスケード接続を行った後に形成される第一フィードバックコードワードと、先に前記サイドリンク伝送のキャリアの順序に従って、次に各送信タイミングの順序に従って、フィードバック結果に対して並び替え及びカスケード接続を行った後に形成される第二フィードバックコードワードと対して再びカスケード接続を行った後に形成されるフィードバックコードワードであって、前記第一フィードバックコードワードは前記第二フィードバックコードワードの前にあり、又は、前記第一フィードバックコードワードは前記第二フィードバックコードワードの後にある、ものを含む、伝送装置。
【国際調査報告】
2021536181.tif 000036
2021536181.tif 000037
2021536181.tif 000038
2021536181.tif 000039
2021536181.tif 000040
2021536181.tif 000041